(57)【要約】本発明は、制御エンティティによって制御される無線セルに位置するユーザ機器に双方向マルチキャストサービスを効率的に提供する方法に関する。双方向サービスのダウンリンクデータについては、ダウンリンクマルチキャストサービスが利用される。制御エンティティがＵＥにポイントトゥポイント接続を利用すると判断した場合には、双方向サービスが通知され、双方向サービスのために確立されたシステムリソースが双方向サービスダウンリンクデータを提供するために利用される。無線アクセスネットワークにおける無線リソースも含まれ、コアネットワークにおける接続が含まれてもよい。任意には、ダウンリンクマルチキャストサービスは、特定の移動端末のために非アクティブされるが、確立済みシステムリソースが維持される。本発明は、更に、システムリソースを構成し、ＵＥにマルチキャストサービスデータを転送する、ＣＮまたはＲＡＮにおけるネットワークエンティティに関する。
2009529816.tif 000002
【特許請求の範囲】
【請求項１】
コアネットワークおよび無線アクセスネットワークを備える移動体通信システム内で双方向マルチキャストサービスプロバイダから移動端末に双方向マルチキャストサービスを提供する方法であって、
前記双方向マルチキャストサービスのマルチキャストサービスデータの送信のために前記移動体通信システムにおいて前記双方向マルチキャストサービスのためのシステムリソースを構成するステップであって、前記移動端末と前記無線アクセスネットワークの無線リソースを制御する制御エンティティとの間で双方向無線ベアラを確立することを含むステップと、
ダウンリンクマルチキャストサービスを介する前記双方向マルチキャストサービスのダウンリンクマルチキャストサービスデータの送信のために前記コアネットワークにおいて前記ダウンリンクマルチキャストサービスのためのシステムリソースを構成するステップと、
前記移動端末に前記双方向マルチキャストサービスの前記ダウンリンクマルチキャストサービスデータを提供するために前記無線アクセスネットワークにおいてポイントトゥポイント接続またはポイントトゥマルチポイント接続を利用するか判断するステップと、を含み、
前記ポイントトゥポイント接続を利用すると判断された場合には、
前記移動端末に前記ダウンリンクマルチキャストサービスデータを提供するために前記双方向マルチキャストサービスのために確立された前記システムリソースを利用するステップと、
前記ポイントトゥマルチポイント接続を利用すると判断された場合には、
前記コアネットワークにおいて前記ダウンリンクマルチキャストサービスデータを送信するために前記ダウンリンクマルチキャストサービスのために確立された前記コアネットワークの前記システムリソースを利用するステップと、
前記移動端末に前記ダウンリンクマルチキャストサービスデータを提供するために前記無線アクセスネットワークにおいて共有無線ベアラを確立するか、確立された共有無線ベアラを使用するステップと、を含む方法。
【請求項２】
前記双方向マルチキャストサービスのためのシステムリソースを構成するステップは、前記コアネットワークにおけるネットワークエンティティと前記無線アクセスネットワークにおける前記制御エンティティとの間の接続の確立を含み、
前記ポイントトゥポイント接続を利用すると判断された場合には、前記ダウンリンクマルチキャストサービスデータの送信のために前記コアネットワークにおける前記ネットワークエンティティと前記無線アクセスネットワークにおける前記制御エンティティとの間の前記接続を利用する、請求項１記載の方法。
【請求項３】
前記マルチキャストサービスデータはアップリンクマルチキャストサービスデータとダウンリンクマルチキャストサービスデータを含み、
前記ポイントトゥマルチポイント接続を利用すると判断された場合には、前記双方向マルチキャストサービスのために構成された前記システムリソースを利用して前記アップリンクマルチキャストサービスデータが送信され、前記ダウンリンクマルチキャストサービスのために構成された前記システムリソースを利用して前記ダウンリンクマルチキャストサービスデータが送信される、請求項１または請求項２記載の方法。
【請求項４】
前記マルチキャストサービスデータはアップリンクマルチキャストサービスデータとダウンリンクマルチキャストサービスデータを含み、
前記ポイントトゥポイント接続を利用すると判断された場合には、前記双方向マルチキャストサービスのために構成された前記システムリソースを利用して前記アップリンクマルチキャストサービスデータおよび前記ダウンリンクマルチキャストサービスデータが送信される、請求項１および請求項３のいずれかに記載の方法。
【請求項５】
前記ダウンリンクマルチキャストサービスのために前記コアネットワークにおいて前記システムリソースを構成するステップは、前記コアネットワークにおいて前記システムリソースをアクティブにすることを含み、
前記ポイントトゥポイント接続を利用すると判断された場合には、前記ポイントトゥポイント接続を利用して前記移動端末のために前記ダウンリンクマルチキャストサービスを非アクティブにするステップを更に含み、非アクティブにするステップは、前記ダウンリンクマルチキャストサービスのために構成された前記コアネットワークにおける前記システムリソースを解放することを含む、請求項１および請求項４のいずれかに記載の方法。
【請求項６】
前記ダウンリンクマルチキャストサービスのために前記コアネットワークにおいて前記システムリソースを構成するステップは、前記システムリソースをアクティブにすることを含み、
前記ポイントトゥポイント接続を利用すると判断された場合には、前記ポイントトゥポイント接続を利用して前記移動端末のために前記ダウンリンクマルチキャストサービスをソフト非アクティブにするステップを更に含み、非アクティブにするステップは、前記ダウンリンクマルチキャストサービスのために構成された前記コアネットワークにおける前記システムリソースを維持することを含む、請求項１および請求項４のいずれかに記載の方法。
【請求項７】
前記ダウンリンクマルチキャストサービスデータは、前記移動端末に前記ポイントトゥポイント接続を介して提供され、
前記ダウンリンクマルチキャストサービスのために構成された前記システムリソースを前記コアネットワークで維持することは前記システムリソースをソフト非アクティブにするステップを含み、
前記ポイントトゥマルチポイント接続を利用すると判断された場合には、前記ダウンリンクマルチキャストサービスを介して前記コアネットワークにおいて前記ダウンリンクマルチキャストサービスデータを送信するために前記コアネットワークにおける前記維持されたシステムリソースを再びアクティブにする、請求項６記載の方法。
【請求項８】
前記ダウンリンクマルチキャストサービスはダウンリンクマルチキャストサービスプロバイダから提供され、
前記ダウンリンクマルチキャストサービスをソフト非アクティブにするまたは非アクティブにすることは、
前記ダウンリンクマルチキャストサービスプロバイダ、前記無線アクセスネットワークにおける前記制御エンティティ、前記ネットワークエンティティ、および、前記移動端末のために、前記移動端末に対する前記ダウンリンクマルチキャストサービスをソフト非アクティブにするまたは非アクティブに通知することを含む、請求項５または請求項６記載の方法。
【請求項９】
前記ダウンリンクマルチキャストサービスをソフト非アクティブにするまたは非アクティブにする通知メッセージは、前記コアネットワークにおけるネットワークエンティティ、前記無線アクセスネットワークにおける前記制御エンティティ、前記移動端末、または、前記ダウンリンクマルチキャストサービスプロバイダから発せられる、請求項８記載の方法。
【請求項１０】
前記双方向マルチキャストサービスにはマルチキャストサービス識別子が割り当てられる、請求項１から請求項９のいずれかに記載の方法。
【請求項１１】
前記マルチキャストサービス識別子は、アクセスポイントネームまたはＩＰマルチキャストアドレスである、請求項１０記載の方法。
【請求項１２】
前記双方向マルチキャストサービスのための前記システムリソースを構成するステップは、少なくとも前記コアネットワークのネットワークエンティティにおいて双方向マルチキャストサービス関連の制御シグナリングおよび双方向マルチキャストサービスデータ転送のためのコンテキストをアクティブにすることを含み、前記コンテキストは前記双方向マルチキャストサービスプロバイダから前記移動端末に前記双方向マルチキャストサービスを提供するために前記構成されたシステムリソースにおける前記マルチキャストサービスデータのルーティングに関するルーティング情報とマルチキャストサービス識別子とを含む、請求項１から請求項１１のいずれかに記載の方法。
【請求項１３】
前記双方向マルチキャストサービスのための前記システムリソースを構成するステップは、前記構成されたシステムリソースにおける制御シグナリングのルーティングに関するルーティング情報とマルチキャストサービス識別子とを含む双方向マルチキャストサービス関連の制御シグナリングのための制御シグナリングコンテキストをアクティブにし、リソース識別子によって識別される前記構成されたシステムリソースにおいて前記双方向マルチキャストサービスプロバイダから前記移動端末に提供されるマルチキャストサービスデータのルーティングに関するルーティング情報と少なくとも前記コアネットワークのネットワークエンティティにおいてマルチキャストサービス識別子を含む双方向マルチキャストサービスデータ転送のためのデータコンテキストをアクティブにすることを含む、請求項１から請求項１１のいずれかに記載の方法。
【請求項１４】
前記コアネットワークにおける前記ダウンリンクマルチキャストサービスのために前記システムリソースを構成するステップは、少なくとも前記コアネットワークのネットワークエンティティにおいて前記ダウンリンクマルチキャストサービスの移動端末関連のコンテキストをアクティブにすることを含み、前記移動端末関連のコンテキストは前記移動端末に関する情報、前記移動端末が登録されている前記ダウンリンクマルチキャストサービスに関する情報、および、マルチキャストサービス識別子を含む、請求項１から請求項１３のいずれかに記載の方法。
【請求項１５】
前記ダウンリンクマルチキャストサービスのためにアクティブにされた前記コンテキストは、前記無線アクセスネットワークにおいてポイントトゥポイント接続を利用すると判断された場合には維持される、請求項１４記載の方法。
【請求項１６】
前記ダウンリンクマルチキャストサービスは、前記双方向マルチキャストサービスのために構成された前記無線アクセスネットワークにおいてポイントトゥポイント接続で前記移動端末に提供され、
ポイントトゥマルチポイント接続を利用すると判断された場合には、前記ダウンリンクマルチキャストサービスを介して前記コアネットワークにおいて前記ダウンリンクマルチキャストサービスデータを送信するために前記ダウンリンクマルチキャストサービスのためにアクティブにされた前記維持されたコンテキストを利用する、請求項１５記載の方法。
【請求項１７】
前記ダウンリンクマルチキャストサービスのためにアクティブにされた前記コンテキストは、前記無線アクセスネットワークにおいてポイントトゥポイント接続を利用すると判断された場合には削除される、請求項１５記載の方法。
【請求項１８】
前記双方向マルチキャストサービスが提供され、前記ダウンリンクマルチキャストサービスデータを送信するために前記ダウンリンクマルチキャストサービスを使用する前記移動端末を、前記制御シグナリングコンテキストと前記移動端末関連のコンテキストに含まれる前記マルチキャストサービス識別子を比較することで識別するステップを更に含む、請求項１３および請求項１５記載の方法。
【請求項１９】
前記マルチキャストサービス識別子は、前記双方向マルチキャストサービスの前記ダウンリンクマルチキャストサービスデータを提供するために前記ダウンリンクマルチキャストサービスを利用する双方向マルチキャストサービスに固有である、請求項１０から請求項１８のいずれかに記載の方法。
【請求項２０】
前記双方向マルチキャストサービスが提供され、前記ダウンリンクマルチキャストサービスを利用している前記双方向マルチキャストサービスの前記ダウンリンクマルチキャストサービスデータを受信する前記移動端末を、前記固有のマルチキャストサービス識別子を用いて識別するステップを更に含む、請求項１９記載の方法。
【請求項２１】
前記移動端末を識別するステップは、前記コアネットワークのネットワークエンティティ、または、前記無線アクセスネットワークの前記制御エンティティによって実行される、請求項１８から請求項２０のいずれかに記載の方法。
【請求項２２】
ポイントトゥポイント接続またはポイントトゥマルチポイント接続を利用するかの判断は前記制御エンティティによって行われ、
前記双方向マルチキャストサービスを要求した前記移動端末について前記無線アクセスネットワークの前記無線リソースを制御する前記制御エンティティが前記コアネットワークにおけるネットワークエンティティにより通知されるステップと、
前記ポイントトゥポイント接続を利用する判断に関して前記ネットワークエンティティに通知するために前記コアネットワークにおける前記ネットワークエンティティに通知メッセージを送信するステップであって、前記通知メッセージは前記ポイントトゥポイント接続を利用する前記移動端末に関する情報と前記マルチキャストサービスに関する情報を含む、ステップと、更に含む、請求項２から請求項２１のいずれかに記載の方法。
【請求項２３】
前記ネットワークエンティティは前記コアネットワークにおけるゲートウェイＧＰＲＳサポートノードまたはサービングＧＰＲＳサポートノードである、請求項２から請求項２２のいずれかに記載の方法。
【請求項２４】
前記双方向マルチキャストサービスは前記マルチキャストサービス識別子によって識別され、
ダウンリンクマルチキャストサービスデータの送信に使用される前記ダウンリンクマルチキャストサービスをアクティブにするために前記移動端末からダウンリンクマルチキャストサービスプロバイダにアクティベーションメッセージを送信するステップを更に含む、請求項１から請求項２３のいずれかに記載の方法。
【請求項２５】
前記ダウンリンクマルチキャストサービスデータを受信するために前記ダウンリンクマルチキャストサービスプロバイダによって前記移動端末を承認するステップと、
承認が成功した場合には、前記双方向マルチキャストサービスの前記マルチキャストサービス識別子を含む通知を前記コアネットワークのネットワークエンティティによって受信するステップと、を更に含む請求項２４記載の方法。
【請求項２６】
前記移動端末はソースセルに位置し、
前記双方向マルチキャストサービスがターゲットセルに位置する前記移動体通信システム内の更なる移動端末に提供され、
システムリソースが前記双方向マルチキャストサービスのマルチキャストサービスデータを前記更なる移動端末に提供するために前記ターゲットセルにおいて構成され、
前記双方向マルチキャストサービスを前記移動端末に提供するために前記ターゲットセルの前記更なる移動端末のために構成される前記システムリソースを利用するステップと、
前記移動端末を前記ソースセルから前記ターゲットセルにハンドオーバする際に前記ソースセルの前記移動端末のために構成される前記構成されたシステムリソースを解放するステップと、を更に含む請求項１から請求項２５のいずれかに記載の方法。
【請求項２７】
前記ターゲットセルにおける前記構成されたシステムリソースが前記無線アクセスネットワークの制御エンティティと前記更なる移動端末との間の確立されたポイントトゥマルチポイント接続を含み、
前記ターゲットセルにおける前記構成されたシステムリソースを利用するステップは、前記更なる移動端末に対する前記確立されたポイントトゥマルチポイント接続を介して前記移動端末に前記ダウンリンクマルチキャストサービスデータを送信することを含み、
前記ソースセルにおける前記移動端末に対する前記双方向マルチキャストサービスのために構成された前記双方向無線ベアラを解放するために前記無線アクセスネットワークの前記制御エンティティに通知するステップを更に含む、請求項２６記載の方法。
【請求項２８】
前記ターゲットセルにおける前記構成されたシステムリソースが前記コアネットワークのネットワークエンティティと前記無線アクセスネットワークの前記制御エンティティとの間の確立された接続、および、前記無線アクセスネットワークの前記制御エンティティと前記更なる移動端末との間の確立されたポイントトゥマルチポイント接続を含み、
前記ターゲットセルにおける前記構成されたシステムリソースを利用するステップは、前記確立された接続および前記更なる移動端末に対する前記確立されたポイントトゥマルチポイント接続を介して前記移動端末に前記ダウンリンクマルチキャストサービスデータを送信することを含み、
前記ソースセルにおける前記移動端末に対する前記ネットワークエンティティと前記制御エンティティとの間の前記構成された接続を解放するよう前記コアネットワークの前記制御エンティティに通知するステップと、
前記ソースセルにおける前記移動端末に対する前記双方向マルチキャストサービスのために構成された前記双方向無線ベアラを解放するよう前記無線アクセスネットワークの前記制御エンティティに通知するステップと、を更に含む、請求項２６記載の方法。
【請求項２９】
コアネットワークおよび無線アクセスネットワークを備える移動体通信システム内でマルチキャストサービスプロバイダから移動端末に双方向マルチキャストサービスを提供するためのシステムリソースを変更する方法であって、
前記双方向マルチキャストサービスのために構成された、確立されたシステムリソースを利用して前記双方向マルチキャストサービスのアップリンクマルチキャストサービスデータを前記移動端末から提供するステップであって、前記双方向マルチキャストサービスのために構成された前記確立されたシステムリソースが前記無線アクセスネットワークにおける無線リソースを制御する制御エンティティと前記移動端末との間の双方向無線ベアラを含む、ステップと、
ダウンリンクマルチキャストサービスのために構成されたシステムリソースを利用して前記双方向マルチキャストサービスのダウンリンクサービスデータを前記移動端末に提供するステップであって、前記ダウンリンクマルチキャストサービスのために構成された前記システムリソースが前記無線アクセスネットワークにおけるポイントトゥマルチポイント接続を含む、ステップと、
前記確立されたポイントトゥマルチポイント接続の代わりに、前記移動端末に前記ダウンリンクマルチキャストサービスデータを提供するために前記無線アクセスネットワークにおけるポイントトゥポイント接続を使用するか判断するステップと、
前記ポイントトゥポイント接続を利用すると判断された場合には、前記移動端末に前記ダウンリンクマルチキャストサービスデータを提供するために前記双方向マルチキャストサービスのために構成された前記確立されたシステムリソースを利用するステップと、を含む方法。
【請求項３０】
前記ポイントトゥマルチポイント接続は、前記制御エンティティと前記移動端末との間の共有無線ベアラを有する、請求項２９記載の方法。
【請求項３１】
前記ポイントトゥポイント接続を利用すると判断された場合には、前記共有無線ベアラを含み、前記ダウンリンクマルチキャストサービスのために構成された前記システムリソースを解放するステップを更に含む、請求項３０記載の方法。
【請求項３２】
前記ダウンリンクマルチキャストサービスのために構成された前記システムリソースは、前記コアネットワークと前記無線アクセスネットワークにおけるエンティティとの間の少なくとも一つの接続を含み、
前記ポイントトゥポイント接続を利用すると判断された場合には、前記少なくとも一つの接続を維持し、前記ダウンリンクマルチキャストサービスのために構成された前記共有無線ベアラを解放するステップを更に含む、請求項３０記載の方法。
【請求項３３】
前記ダウンリンクマルチキャストサービスはアクティブにされ、
前記ポイントトゥポイント接続を利用すると判断された場合には、前記ダウンリンクマルチキャストサービスを非アクティブにするステップを更に含む、請求項２９記載の方法。
【請求項３４】
コアネットワークおよび無線アクセスネットワークを備える移動体通信システム内でマルチキャストサービスプロバイダから移動端末に双方向マルチキャストサービスを提供するためのシステムリソースを変更する方法であって、
前記双方向マルチキャストサービスのために構成された確立されたシステムリソースを利用して前記マルチキャストサービスプロバイダと前記移動端末との間で前記双方向マルチキャストサービスのアップリンクマルチキャストサービスデータおよびダウンリンクマルチキャストサービスデータを交換するステップであって、前記双方向マルチキャストサービスのために構成された前記システムリソースが前記無線アクセスネットワークにおけるポイントトゥポイント接続を含み、
前記確立されたポイントトゥポイント接続の代わりに、前記移動端末に前記ダウンリンクマルチキャストサービスデータを提供するために前記無線アクセスネットワークにおけるポイントトゥマルチポイント接続を使用するか判断するステップと、
前記ポイントトゥマルチポイント接続を利用すると判断された場合には、
前記コアネットワークにおける前記ダウンリンクマルチキャストサービスデータを送信するためにダウンリンクマルチキャストサービスのために前記コアネットワークにおいてシステムリソースを構成するステップと、
前記制御エンティティから前記移動端末に前記ダウンリンクマルチキャストサービスデータを提供するために前記無線アクセスネットワークにおいて共有無線ベアラを確立するステップと、を含む方法。
【請求項３５】
前記ポイントトゥポイント接続は、前記制御エンティティと前記移動端末との間の双方向無線ベアラを含む、請求項３４記載の方法。
【請求項３６】
前記ポイントトゥマルチポイント接続を利用すると判断された場合には、前記ダウンリンクマルチキャストサービスデータを送信するために前記ダウンリンクマルチキャストサービスをアクティブにするステップを更に含む、請求項３４または請求項３５記載の方法。
【請求項３７】
前記ポイントトゥマルチポイント接続を利用すると判断された場合には、前記ダウンリンクマルチキャストサービスのための前記コアネットワークにおけるシステムリソースの構成が前記コアネットワークにおける確立されたシステムリソースを利用することを含む、請求項３４から請求項３６のいずれかに記載の方法。
【請求項３８】
コアネットワークと無線アクセスネットワークを有する移動体通信システム内でダウンリンクマルチキャストサービスプロバイダから移動端末にダウンリンクマルチキャストサービスデータを送信するダウンリンクマルチキャストサービスを設定する方法であって、前記ダウンリンクマルチキャストサービスが、双方向マルチキャストサービスからの通知に応じて、前記双方向マルチキャストサービスのダウンリンクマルチキャストサービスデータを前記移動端末に提供するために使用され、
前記コアネットワークにおいてシステムリソースが存在するか否かを確認するステップであって、前記システムリソースは前記双方向マルチキャストサービスのために事前に構成され、
前記コアネットワークにおいて前記システムリソースが存在する場合には、前記コアネットワークにおいて前記ダウンリンクマルチキャストサービスデータを提供するために前記コアネットワークにおいて前記事前に構成されたシステムリソースを利用し、
前記コアネットワークにおいて前記システムリソースが存在しない場合には、前記コアネットワークにおいて前記双方向マルチキャストサービスの前記ダウンリンクマルチキャストサービスデータを提供するために前記コアネットワークにおいてシステムリソースを構成し、
前記移動端末に前記ダウンリンクマルチキャストサービスデータを提供するために前記無線アクセスネットワークにおいてポイントトゥポイント接続またはポイントトゥマルチポイント接続を利用するか判断するステップと、を含み、
前記ポイントトゥポイント接続を利用すると判断された場合には、前記設定手順を中止し、前記コアネットワークにおける前記構成されたシステムリソースを維持し、
前記ポイントトゥマルチポイント接続を利用すると判断された場合には、前記移動端末に前記ダウンリンクマルチキャストサービスデータを提供するために前記無線アクセスネットワークにおいて共有無線ベアラを確立するか確立された共有無線ベアラを使用する、方法。
【請求項３９】
コアネットワークと無線アクセスネットワークを有する移動体通信システム内でマルチキャストサービスプロバイダから移動端末に双方向マルチキャストサービスを提供する方法であって、
前記双方向マルチキャストサービスのマルチキャストサービスデータの送信のために前記移動体通信システムにおいて前記双方向マルチキャストサービスのためにシステムリソースを構成するステップであって、前記構成が前記移動端末と前記無線アクセスネットワークの無線リソースを制御する制御エンティティとの間で双方向無線ベアラを確立することを含み、
前記移動端末に前記双方向マルチキャストサービスのダウンリンクマルチキャストサービスデータを提供するために前記無線アクセスネットワークにおいてポイントトゥポイント接続またはポイントトゥマルチポイント接続を利用するか判断するステップと、
前記ポイントトゥポイント接続を利用すると判断された場合には、前記移動端末に前記ダウンリンクマルチキャストサービスデータを提供するために前記双方向マルチキャストサービスのために確立された前記システムリソースを利用し、
前記ポイントトゥマルチポイント接続を利用すると判断された場合には、前記ダウンリンクマルチキャストサービスを介して前記双方向マルチキャストサービスのダウンリンクマルチキャストサービスデータの送信のために前記コアネットワークにおいてダウンリンクマルチキャストサービスのためのシステムリソースを構成し、
前記移動端末に前記ダウンリンクマルチキャストサービスデータを提供するために前記無線アクセスネットワークにおいて共有無線ベアラを確立するか確立された共有無線ベアラを使用するステップと、を含む方法。
【請求項４０】
ダウンリンクマルチキャストサービスを設定する方法であって、前記設定は、コアネットワークと無線アクセスネットワークを有する移動体通信システム内でダウンリンクマルチキャストサービスプロバイダから移動端末に双方向マルチキャストサービスのダウンリンクデータを送信するために、前記ダウンリンクマルチキャストサービスプロバイダに前記双方向マルチキャストサービスのダウンリンクデータを送信する前記双方向マルチキャストサービスによって開始され、
前記移動端末に関する情報を含む通知を前記双方向マルチキャストサービスから前記ダウンリンクマルチキャストサービスによって受信するステップであって、前記移動端末は前記双方向マルチキャストサービスに登録され、前記移動端末は前記ダウンリンクマルチキャストサービスを利用して前記双方向マルチキャストサービスの前記ダウンリンクデータを受信し、
前記移動端末を前記ダウンリンクマルチキャストサービスに登録するステップと、
前記双方向マルチキャストサービスを受信する前記移動端末の各移動端末のために前記ダウンリンクマルチキャストサービスに前記コアネットワークにおいてシステムリソースを構成するステップと、を含む方法。
【請求項４１】
システムリソースを構成するネットワークエンティティであって、前記ネットワークエンティティは移動体通信システムの無線アクセスの一部であり、ダウンリンクマルチキャストサービスを利用して双方向マルチキャストサービスのダウンリンクマルチキャストサービスデータが移動端末に提供され、
マルチキャストサービスプロバイダから移動端末にマルチキャストサービスデータを送信する前記双方向マルチキャストサービスのために前記移動体通信システムのシステムリソースを構成するプロセッサであって、前記構成は前記移動端末と前記無線アクセスネットワークの無線リソースを制御する制御エンティティとの間で双方向無線ベアラを確立することを含む、プロセッサを備え、
前記プロセッサは前記移動端末に前記双方向マルチキャストサービスの前記ダウンリンクマルチキャストサービスデータを提供するために前記無線アクセスネットワークにおいてポイントトゥポイント接続またはポイントトゥマルチポイント接続を利用するか判断するよう更に適合され、
前記ダウンリンクマルチキャストサービスデータを受信する受信装置と、
前記確立された双方向無線ベアラを介して前記受信したダウンリンクマルチキャストサービスデータを転送する送信装置であって、前記ポイントトゥポイント接続を利用すると判断された場合、および、前記ポイントトゥマルチポイント接続を利用すると判断された場合には、前記移動端末に確立された共有無線ベアラを介して前記受信したダウンリンクマルチキャストサービスデータを転送する、送信装置と、を備えるネットワークエンティティ。
【請求項４２】
システムリソースを構成するネットワークエンティティであって、前記ネットワークエンティティは移動体通信システムの無線アクセスの一部であり、移動端末に双方向マルチキャストサービスが提供され、前記双方向マルチキャストサービスのダウンリンクマルチキャストサービスデータがダウンリンクマルチキャストサービスを利用して前記移動端末に提供され、
前記双方向マルチキャストサービスのマルチキャストサービスデータの送信のための前記移動体通信システムのシステムリソースを構成するプロセッサであって、前記構成は前記移動端末に双方向無線ベアラを確立することを含む、プロセッサと、
前記ダウンリンクマルチキャストサービスデータを送信するために前記ダウンリンクマルチキャストサービスを利用して前記双方向マルチキャストサービスで提供される前記移動端末に関する情報を含み、前記移動体通信システムにおけるコアネットワークのネットワークエンティティから通知を受信する受信装置と、を備え、
前記プロセッサは、前記移動端末に前記ダウンリンクマルチキャストデータを提供するために前記無線アクセスネットワークにおいてポイントトゥポイント接続またはポイントトゥマルチポイント接続を利用するか判断するよう更に適合され、
前記コアネットワークの前記ネットワークエンティティに通知を送信する送信装置であって、前記通知メッセージは前記ポイントトゥポイント接続を利用する前記移動端末の識別および前記双方向マルチキャストサービスの識別を含む、送信装置と、
前記ダウンリンクマルチキャストサービスデータを受信する受信装置と、
前記ポイントトゥポイント接続を利用すると判断された場合には前記双方向マルチキャストサービスのために構成された確立された双方向無線ベアラを介して前記受信したダウンリンクマルチキャストサービスデータを転送し、前記ポイントトゥマルチポイント接続を利用すると判断された場合には前記移動端末に確立された共有無線ベアラを介して前記受信したダウンリンクマルチキャストサービスデータを転送する送信装置、とを更に含む、ネットワークエンティティ。
【請求項４３】
システムリソースを構成するネットワークエンティティであって、前記ネットワークエンティティは移動体通信システムのコアネットワークの一部であり、双方向マルチキャストサービスのダウンリンクマルチキャストサービスデータはダウンリンクマルチキャストサービスを利用して前記移動端末に提供され、
双方向マルチキャストサービスプロバイダから移動端末に前記双方向マルチキャストサービスのマルチキャストサービスデータを送信するために前記移動体通信システムのシステムリソースを構成するプロセッサであって、前記構成は前記ネットワークエンティティと前記無線アクセスネットワークの無線リソースを制御する制御エンティティとの間のトンネルを確立することを含む、プロセッサを備え、
前記プロセッサは、前記ダウンリンクマルチキャストサービスデータを送信するために前記ダウンリンクマルチキャストサービスを利用して前記双方向マルチキャストサービスで提供される前記移動端末を識別するよう適合され、
前記プロセッサは、前記ダウンリンクマルチキャストサービスを要求した前記移動端末について前記無線アクセスネットワークの前記無線リソースを制御する前記制御エンティティに通知し、前記双方向マルチキャストサービスのマルチキャストサービスデータの送信のために前記制御エンティティと前記移動端末との間で双方向無線ベアラを確立するためにシステムリソースを予約するよう前記無線アクセスネットワークの前記制御エンティティに要求するよう適合され、
ポイントトゥポイント接続を利用すると判断されたかについて前記無線アクセスネットワークの前記制御エンティティから通知メッセージを前記ネットワークエンティティで受信する受信装置であって、前記通知メッセージは前記ポイントトゥポイント接続を利用すべき前記移動端末の識別および前記双方向マルチキャストサービスの識別を有し、前記受信装置はダウンリンクマルチキャストサービスデータを更に受信する、受信装置と、
前記ポイントトゥポイント接続を利用すると判断された場合には前記確立された無線ベアラを利用するよう前記マルチキャストサービスの前記確立されたトンネルを介して前記受信したダウンリンクマルチキャストサービスデータを転送し、前記ポイントトゥマルチポイント接続を利用すると判断された場合には前記ダウンリンクマルチキャストサービスをソフト非アクティブにするようダウンリンクマルチキャストサービスプロバイダに通知を送信する送信装置と、を更に含むネットワークエンティティ。
【請求項４４】
前記プロセッサは、請求項２から請求項３９のいずれかに記載の方法のステップを実行するよう更に適合される、請求項４０から請求項４２のいずれかに記載のネットワークエンティティ。
【請求項４５】
マルチキャストサービスプロバイダから移動端末に双方向マルチキャストサービスを設定する移動体通信システムであって、請求項４０から請求項４３に記載のネットワークエンティティを少なくとも備える、移動体通信システム。
【請求項４６】
双方向マルチキャストサービスプロバイダによって提供される双方向マルチキャストサービスに参加する移動体通信システム内の移動端末であって、前記移動体通信システムにおいて前記双方向マルチキャストサービスのダウンリンクマルチキャストサービスデータはダウンリンクマルチキャストサービスを利用して前記移動端末に提供され、
前記双方向マルチキャストサービスのサービスデータの送受信のための前記無線アクセスネットワークの制御エンティティへの双方向無線ベアラを含み前記移動体通信システムにおいてシステムリソースを構成するよう適合されるプロセッサを備え、
前記プロセッサは、前記ダウンリンクマルチキャストサービスを介してダウンリンクマルチキャストサービスデータを受信するよう前記移動体通信システムにおいてシステムリソースを構成するよう更に適合され、
前記無線アクセスネットワークにおいてポイントトゥポイント接続が判断された場合には確立された双方向無線ベアラを介してダウンリンクマルチキャストサービスデータを受信し、ポイントトゥマルチポイント接続が判断された場合には確立された共有無線ベアラを介してダウンリンクマルチキャストサービスデータを受信する、移動端末。
【請求項４７】
双方向マルチキャストサービスプロバイダから移動端末に双方向マルチキャストサービスを提供する方法であって、前記双方向マルチキャストサービスのダウンリンクマルチキャストサービスデータはダウンリンクマルチキャストサービスを介して前記移動端末に提供され、
前記双方向マルチキャストサービスのためにシステムリソースを構成するステップであって、前記移動端末と無線アクセスネットワークの無線リソースを制御する制御エンティティとの間で双方向無線ベアラを確立することを含む、ステップと、
前記移動端末に前記ダウンリンクマルチキャストサービスデータを提供するために前記無線アクセスネットワークにおいてポイントトゥポイント接続を利用するか否かを判断するステップであって、前記ポイントトゥポイント接続を利用すると判断された場合には前記移動端末に前記ダウンリンクマルチキャストサービスデータを提供するために前記双方向マルチキャストサービスのために確立されたシステムリソースを利用する、方法。
【発明の詳細な説明】
【技術分野】
【０００１】
本発明は、移動体通信システムにおいて双方向マルチキャストサービスを提供する方法に関する。本発明は、更に、移動体通信システム内の双方向マルチキャストサービスのためにシステムリソースを変更する方法に関する。本発明は、更に、ダウンリンクマルチキャストサービスを設定する方法に関する。本発明は、更に、移動体通信システムにおいてシステムリソースを構成し、移動端末にマルチキャストサービスデータを転送するコアネットワークまたは無線アクセスネットワークにおけるネットワークエンティティに関する。本発明は、更に、双方向マルチキャストサービスを受信する移動端末に関する。
【背景技術】
【０００２】
ユニバーサルモバイルテレコミュニケーションシステム（ＵＭＴＳ）等の移動体通信システムは、固定の、無線の、および、衛星のネットワークを介して音声およびデータの両方を運ぶことができる。これらの通信システムは、絶えず進化しているため、ＩＰベースの、リアルタイムの、対話的な、または、マルチメディアのサービスの配信のためのパケットフレームワークも開発され提供されている。例えば、ＩＰマルチメディアサブシステム（ＩＭＳ）標準は、第３世代移動体通信システムの標準化プロジェクト（３ＧＰＰ）（非特許文献１。ｈｔｔｐ：／／ｗｗｗ．３ｇｐｐ．ｏｒｇから入手可能。本文献は参照により本願に組み込まれる。）により特定されている。ＩＭＳは、リッチな音声サービス、ビデオ電話、メッセージング、会議開催、およびプッシュサービス等の、リアルタイムの移動および固定マルチメディアモバイルサービスを可能にし、且つ、改善するように特に設計されている。ＩＭＳは、標準インターネットプロトコル（ＩＰ）を超えてパケット切換および回路切換電話システムの両方をサポートする。
【０００３】
典型的には、多数のユーザが、無線ネットワークの特定のセルで同じデータを複数のユーザに提供することをしばしば含むプッシュトゥトークセルラ（ＰｏＣ）またはビデオ会議サービス等のＩＭＳサービスを受けるために加入している。しかしながら、ＩＭＳ標準は、サービスが提供される各移動端末への個別無線ベアラ接続のための無線アクセスネットワーク（ＲＡＮ）におけるシステムリソースの予約を含み、ユーザの移動端末（ＭＴ）へのポイントトゥポイント（ＰＴＰ）接続のみをサポートする。
【０００４】
複数のユーザが同じサービスを受ける場合、複数のユーザにサービスデータを送信するためにポイントトゥマルチポイント（ＰＴＭ）能力を備えるマルチキャスト対応サービスを使用することが有利である。ＵＭＴＳシステムでＩＭＳサービスを提供する際、無線セルで多数のユーザにサービス提供するよう、多数の個別無線ベアラの代わりに共有または放送無線ベアラが典型的には利用されるため無線アクセスネットワークにおいてシステムリソースが節約される。
【０００５】
マルチキャスト対応サービスは、３ＧＰＰ（非特許文献２。ｈｔｔｐ：／／ｗｗｗ．３ｇｐｐ．ｏｒｇから入手可能。本文献は参照により本願に組み込まれる。）によって標準化されたマルチメディア放送／マルチキャストサービス（ＭＢＭＳ）等である。ＭＢＭＳサービスは、無線ネットワークを介して複数の受信者に同じダウンリンクデータを送信するダウンリンクマルチキャストサービスである。受信者は、ＭＢＭＳサービスデータの受信のために典型的には一つの無線チャネルと共有無線ベアラを共有する。ＭＢＭＳサービスは、リアルタイム画像と音声またはテキスト等のマルチメディアデータの送信をサポートする。従って、ユーザにＩＭＳサービスのデータを提供するためにも使用される。可能性として異なるセルに位置する多数のユーザに同じデータが送信されるため、ユーザの特定の移動端末のセルで使用されるＰＴＰまたはＰＴＭの接続の種類は、各セルに位置するユーザの数に基づいてもよい。
【０００６】
以下では、ｈｔｔｐ：／／ｗｗｗ．３ｇｐｐ．ｏｒｇ／ｆｔｐ／ｔｓｇ＿ｓａ／ＷＧ２＿Ａｒｃｈ／ＴＳＧＳ２＿４８＿Ｓｏｐｈｉａ＿Ａｎｔｉｐｏｌｉｓ／Ｄｏｃｓ／により入手可能であり参照により本願に組み込まれる非特許文献３に記載されるようなダウリンクデータ提供のためのＭＢＭＳサービスフレームワークを用いたＩＭＳサービス等の典型的な設定手順を簡単に説明する。
【０００７】
最初に、ユーザは無線アクセスネットワークおよびコアネットワークを介して、サービスプロバイダにＩＮＶＩＴＥメッセージを送ることでＩＭＳサービスに加入する。サービスを受信するためにユーザを認証した後、サービスプロバイダは、ＲＡＮにおける無線送信リソースを制御するために、ゲートウェイＧＰＲＳサポートノード（ＧＧＳＮ）−サービスＧＰＲＳサポートノード（ＳＧＳＮ）と無線ネットワークコントローラ（ＲＮＣ）との間のトンネルの設定を含む、移動体通信システムにおけるシステムリソースの予約を開始する。更に、ＲＮＣとユーザ機器（ＵＥ）との間の無線ベアラが、ＵＥからサービスプロバイダへのシグナリングおよびアップリンク接続のために確立される。セッション設定シグナリング、セッション設定、および、ＳＩＰ（セッション初期化プロトコル）等の制御プロトコルが通信のために使用される。
【０００８】
ユーザにダウンリンクデータを提供するためには、ＭＢＭＳサービスフレームワークが利用される。ＭＢＭＳサービスの設定手順は、ＩＭＳサービスプロバイダ等によって開始される。ＭＢＭＳ設定は、ダウンリンクＩＭＳデータの送信のためのシステムリソースの構成を含む。従って、この設定は、それぞれのネットワークノードにおいて確立されたコンテキストに記述されるＧＧＳＮ，ＳＧＳＮ，および、ＲＮＣ間のトンネルの確立を典型的には含み、ＩＭＳサービスを受信するためにセルに位置するユーザに依存してＲＡＮにおける共有無線ベアラまたは個別無線ベアラの設定を更に含む。
【非特許文献１】3GPP TS 23.228 v6.9.0: "IP Multimedia Subsystem (IMS); Stage 2 (Release 6)"
【非特許文献２】3GPP TS 23.246 v6.6.0: "Multimedia Broadcast/Multicast Service (MBMS); Architecture and functional description (Release 6)"
【非特許文献３】3GPP TSG-SA WG2 #48, S2-052305, Sophia Antipolis, France 5th - 9th September 2005, "Enable IMS service with multicast capability"
【発明の開示】
【０００９】
本発明は、双方向マルチキャストサービスのダウンリンクサービスデータを提供するためにダウンリンクマルチキャストサービスを用いて双方向マルチキャストサービスを効率的に提供することを目的とする。
【００１０】
上記目的は、独立請求項の主題により解決される。本発明の有利な実施形態は、従属請求項の主題である。
【００１１】
本発明の一態様は、ダウンリンクサービスデータの送信に確立済みシステムリソースを再使用することである。設定手順中、無線ベアラが最初双方向マルチキャストサービスのために確立される。ダウンリンクサービスデータが移動端末にＰＴＰ接続を介して提供されるべき場合、ダウンリンクデータの送信にダウンリンクマルチキャストサービスに追加的なシステムリソースを割り当てる代わりに、確立済み無線ベアラを用いてダウンリンクマルチキャストサービスデータを送信する。ＰＴＭ接続が判断された場合のみ、ダウンリンクマルチキャストサービスに追加的な共有ベアラが確立される。共有ベアラが無線セルにおいて既に利用可能である場合、該共有無線ベアラが移動端末にサービスデータを提供するために利用される。
【００１２】
本発明の実施形態は、移動体通信システム内で双方向マルチキャストサービスプロバイダから移動端末に双方向マルチキャストサービスを提供する方法に関する。移動体通信システムは、コアネットワークおよび無線アクセスネットワークを備える。同方法によると、システムリソースは、双方向マルチキャストサービスのマルチキャストサービスデータを送信するために移動体通信システムにおいて双方向マルチキャストサービスのために構成される。
【００１３】
構成するステップは、移動端末と無線アクセスネットワークの無線リソースを制御する制御エンティティとの間で双方向無線ベアラを確立することを含む。更に、ダウンリンクマルチキャストサービス用システムリソースが、ダウンリンクマルチキャストサービスを介して双方向マルチキャストサービスのダウンリンクマルチキャストサービスデータを送信するためにコアネットワークにおいて構成される。移動端末に双方向マルチキャストサービスのダウンリンクマルチキャストサービスデータを提供するために無線アクセスネットワークにおいてポイントトゥポイント接続またはポイントトゥマルチポイント接続を利用するか判断される。ポイントトゥポイント接続を利用すると判断された場合には、移動端末にダウンリンクマルチキャストサービスデータを提供するために確立された双方向マルチキャストサービス用システムリソースが利用される。ポイントトゥマルチポイント接続を利用すると判断された場合には、コアネットワークにおいてダウンリンクマルチキャストサービスデータを送信するために、ダウンリンクマルチキャストサービスのために確立されたコアネットワークのシステムリソースが利用される。更には、移動端末にダウンリンクマルチキャストサービスデータを提供するために無線アクセスネットワークにおいて共有無線ベアラが確立されるか、確立済み共有無線ベアラが使用される。
【００１４】
本発明の別の実施形態では、双方向マルチキャストサービスのためにシステムリソースを構成するステップは、コアネットワークにおけるネットワークエンティティと無線アクセスネットワークにおける制御エンティティとの間で接続を確立することを含む。ポイントトゥポイント接続を利用すると判断された場合には、ダウンリンクマルチキャストサービスデータの送信のために、コアネットワークにおけるネットワークエンティティと無線アクセスネットワークにおける制御エンティティとの間の接続が利用される。これは、コアネットワークにおける接続の再使用を含み、結果として双方向マルチキャストサービスがより効率的に提供される。
【００１５】
本実施形態の変形例によると、マルチキャストサービスデータはアップリンクマルチキャストサービスデータとダウンリンクマルチキャストサービスデータを含む。ポイントトゥマルチポイント接続を利用すると判断された場合には、双方向マルチキャストサービスのために構成されたシステムリソースを利用してアップリンクマルチキャストサービスデータが送信される。更に、ダウンリンクマルチキャストサービスのために構成されたシステムリソースを利用してダウンリンクマルチキャストサービスデータが送信される。
【００１６】
本実施形態の別の変形例によると、マルチキャストサービスデータはアップリンクマルチキャストサービスデータとダウンリンクマルチキャストサービスデータを含む。ポイントトゥポイント接続を利用すると判断された場合には、双方向マルチキャストサービスのために構成されたシステムリソースを利用してアップリンクマルチキャストサービスデータおよびダウンリンクマルチキャストサービスデータが送信される。
【００１７】
本発明の更に別の実施形態では、ダウンリンクマルチキャストサービスのためにコアネットワークにおいてシステムリソースを構成するステップは、コアネットワークにおいてシステムリソースをアクティブにすることを含む。ポイントトゥポイント接続を利用すると判断された場合には、ポイントトゥポイント接続を利用して移動端末のためのダウンリンクマルチキャストサービスを非アクティブにする。これは、ダウンリンクマルチキャストサービスのために構成されたコアネットワークにおけるシステムリソースを解放することを含む。それにより、解放されたシステムリソースは他の接続やユーザに利用可能になる。
【００１８】
更なる実施形態によると、ダウンリンクマルチキャストサービスのためにコアネットワークにおいてシステムリソースを構成するステップは、システムリソースをアクティブにすることを含む。ポイントトゥポイント接続を利用すると判断された場合には、ポイントトゥポイント接続を利用して移動端末のためにダウンリンクマルチキャストサービスを非アクティブにする。これは、ダウンリンクマルチキャストサービスのために構成されたコアネットワークにおけるシステムリソースを維持することを含む。システムリソースを維持することで、移動端末に対するＭＢＭＳサービスの可能な将来的な構成が促進される。
【００１９】
更なる実施形態では、ダウンリンクマルチキャストサービスデータは、移動端末にポイントトゥポイント接続を介して提供される。ダウンリンクマルチキャストサービスのために構成されたシステムリソースはコアネットワークで維持される。これは、システムリソースを非アクティブにすることを含む。ポイントトゥマルチポイント接続を利用すると判断された場合には、ダウンリンクマルチキャストサービスを介してコアネットワークにおいてダウンリンクマルチキャストサービスデータを送信するためにコアネットワークにおける維持されたシステムリソースが再びアクティブにされる。
【００２０】
本発明の別の実施形態によると、ダウンリンクマルチキャストサービスがダウンリンクマルチキャストサービスプロバイダから提供される。更に、ダウンリンクマルチキャストサービスを非アクティブにすることは、ダウンリンクマルチキャストサービスプロバイダ、無線アクセスネットワークにおける制御エンティティ、ネットワークエンティティ、および、移動端末に対して、移動端末に対するダウンリンクマルチキャストサービスを非アクティブにすることを通知することを含む。
【００２１】
本発明の有利な実施形態では、ダウンリンクマルチキャストサービスを非アクティブにする通知メッセージは、コアネットワークにおけるネットワークエンティティ、無線アクセスネットワークにおける制御エンティティ、移動端末、または、ダウンリンクマルチキャストサービスプロバイダから発せられる。
【００２２】
本発明の別の実施形態は、双方向マルチキャストサービスに割り当てられたマルチキャストサービス識別子を用いる。この識別子により、他のマルチメディアサービスの中からマルチキャストサービスを識別することが可能になる。
【００２３】
本発明の更なる実施形態によると、マルチキャストサービス識別子は、アクセスポイントネームまたはＩＰマルチキャストアドレスである。マルチキャストサービスのアクセスポイントネームまたはＩＰマルチキャストアドレスをマルチキャストサービス識別子として用いることは、移動体通信システムにおけるエンティティ全体に典型的には利用可能であるといった利点を有する。
【００２４】
本発明の実施形態の変形例では、双方向マルチキャストサービスのためのシステムリソースを構成するステップは、少なくともコアネットワークのネットワークエンティティにおいてマルチキャストサービス関連の制御シグナリングおよびマルチキャストサービスデータ転送のためのコンテキストをアクティブにすることを含む。コンテキストは、マルチキャストサービスプロバイダから移動端末にマルチキャストサービスを提供するために構成されたシステムリソースにおけるマルチキャストサービスデータのルーティングに関するルーティング情報を含む。コンテキストは、双方向マルチキャストサービスを識別するマルチキャストサービス識別子も含む。
【００２５】
本発明の別の実施形態によると、双方向マルチキャストサービスのデータのためのシステムリソースを構成するステップは、構成されたシステムリソースにおける制御シグナリングのルーティングに関するルーティング情報とマルチキャストサービス識別子とを含むマルチキャストサービス関連の制御シグナリングのための制御シグナリングコンテキストをアクティブにすることを含む。マルチキャストサービスデータ転送のためのデータコンテキストは、リソース識別子によって識別される構成されたシステムリソースにおいてマルチキャストサービスプロバイダから移動端末に提供されるマルチキャストサービスデータのルーティングに関するルーティング情報を含んでもよい。データコンテキストは、少なくともコアネットワークネットワークエンティティにおいてマルチキャストサービス識別子を含んでもよい。
【００２６】
本発明の更なる実施形態では、ダウンリンクサービスデータのためのシステムリソースの構成は、少なくともコアネットワークのネットワークエンティティにおいてダウンリンクマルチキャストサービスの移動端末関連のコンテキストをアクティブにすることを含む。移動端末関連のコンテキストは、移動端末が登録されているダウンリンクマルチキャストサービスに関する情報を含んでもよい。任意には、移動端末に関する情報を含んでもよい。
【００２７】
本発明の実施形態によると、ダウンリンクマルチキャストサービスのためにアクティブにされたコンテキストは、無線アクセスネットワークにおいてポイントトゥポイント接続を利用すると判断された場合には維持される。その利点は、維持されるコンテキストが迅速に再びアクティブにされ得る点である。
【００２８】
一実施形態の変形例では、ダウンリンクマルチキャストサービスは、双方向マルチキャストサービスのために構成された無線アクセスネットワークにおいてポイントトゥポイント接続を介して移動端末に提供される。ポイントトゥマルチポイント接続を利用すると判断された場合には、ダウンリンクマルチキャストサービスを介してコアネットワークにおいてダウンリンクマルチキャストサービスデータを送信するためにダウンリンクマルチキャストサービスのためにアクティブにされた維持されたコンテキストが利用される。
【００２９】
本発明の更なる実施形態によると、ダウンリンクマルチキャストサービスのためにアクティブにされたコンテキストは、無線アクセスネットワークにおいてポイントトゥポイント接続を利用すると判断された場合には削除される。それにより、コンテキストによって定義されるシステムリソースは、解放され、他の使用目的のために利用可能にされる。
【００３０】
別の実施形態では、双方向マルチキャストサービスが提供され、ダウンリンクマルチキャストサービスデータを送信するためにダウンリンクマルチキャストサービスを使用する移動端末は、制御シグナリングコンテキストと移動端末関連のコンテキストに含まれるマルチキャストサービス識別子を比較することで識別される。
【００３１】
本発明の実施形態の変形例では、マルチキャストサービス識別子は、双方向マルチキャストサービスのダウンリンクマルチキャストサービスデータを提供するためにダウンリンクマルチキャストサービスを利用する双方向マルチキャストサービスに固有である。具体的には、ダウンリンクマルチキャストサービスフレームワークにわたって双方向マルチキャストサービスのために固有のマルチキャストサービス識別子を定義することで、双方向マルチキャストサービスを識別するために比較を行う必要がない。
【００３２】
更なる実施形態によると、双方向マルチキャストサービスが提供され、ダウンリンクマルチキャストサービスを利用している双方向マルチキャストサービスのダウンリンクマルチキャストサービスデータを受信する移動端末は、固有のマルチキャストサービス識別子を用いて識別される。
【００３３】
更なる実施形態は、コアネットワークのネットワークエンティティ、または、無線アクセスネットワークの制御エンティティによって移動端末を識別する。
【００３４】
本発明の別の実施形態によると、ポイントトゥポイント接続またはポイントトゥマルチポイント接続を利用するかの判断は制御エンティティによって行われる。更に、双方向マルチキャストサービスを要求した移動端末について、無線アクセスネットワークの無線リソースを制御する制御エンティティはコアネットワークにおけるネットワークエンティティによりに通知される。その後、ポイントトゥポイント接続を利用する判断に関してネットワークエンティティに通知するためにコアネットワークにおけるネットワークエンティティに通知メッセージが送信される。通知メッセージは、ポイントトゥポイント接続を利用する移動端末に関する情報とマルチキャストサービスに関する情報を含む。
【００３５】
更なる実施形態によると、ネットワークエンティティはコアネットワークにおけるゲートウェイＧＰＲＳサポートノードまたはサービングＧＰＲＳサポートノードである。
【００３６】
有利な実施形態は、マルチキャストサービス識別子によって双方向マルチキャストサービスを識別する。更に、ダウンリンクマルチキャストサービスデータの送信に使用されるダウンリンクマルチキャストサービスをアクティブにするために移動端末からダウンリンクマルチキャストサービスプロバイダにアクティベーションメッセージが送信される。
【００３７】
更なる実施形態では、移動端末は、ダウンリンクマルチキャストサービスデータを受信するためにダウンリンクマルチキャストサービスプロバイダによって承認される。承認が成功した場合には、コアネットワークのネットワークエンティティは、双方向マルチキャストサービスのマルチキャストサービス識別子を含む通知を受信する。
【００３８】
本発明の有利な実施形態によると、移動端末はソースセルに位置する。更に、双方向マルチキャストサービスは、ターゲットセルに位置する移動体通信システム内の更なる移動端末に提供される。システムリソースは、双方向マルチキャストサービスのマルチキャストサービスデータを更なる移動端末に提供するためにターゲットセルで構成される。更に、双方向マルチキャストサービスを移動端末に提供するためにターゲットセルの更なる移動端末のために構成されるシステムリソースが利用される。移動端末をソースセルからターゲットセルにハンドオーバする際にソースセルの移動端末のために構成されるシステムリソースが解放される。
【００３９】
本発明の更なる実施形態では、ターゲットセルにおける構成されたシステムリソースが無線アクセスネットワークの制御エンティティと更なる移動端末との間の確立されたポイントトゥマルチポイント接続を含む。ターゲットセルにおける構成されたシステムリソースが利用され、更なる移動端末に対する確立されたポイントトゥマルチポイント接続を介して移動端末にダウンリンクマルチキャストサービスデータを送信することを含む。更に、ソースセルにおける移動端末に対する双方向マルチキャストサービスのために構成された双方向無線ベアラを解放するために無線アクセスネットワークの制御エンティティに通知する。
【００４０】
更なる実施形態について、ターゲットセルにおける構成されたシステムリソースがコアネットワークのネットワークエンティティと無線アクセスネットワークの制御エンティティとの間の確立された接続を含む。構成されたシステムリソースは、無線アクセスネットワークの制御エンティティと更なる移動端末との間の確立されたポイントトゥマルチポイント接続を更に含む。更には、ターゲットセルにおける構成されたシステムリソースの利用は、確立された接続および更なる移動端末に対する確立されたポイントトゥマルチポイント接続を利用して移動端末にダウンリンクマルチキャストサービスデータを送信することを含む。ソースセルにおける移動端末に対するネットワークエンティティと制御エンティティとの間の構成された接続を解放するようコアネットワークの制御エンティティが通知される。ソースセルにおける移動端末に対する双方向マルチキャストサービスのために構成された双方向無線ベアラを解放するよう無線アクセスネットワークの制御エンティティが通知される。
【００４１】
本発明によると、移動体通信システム内でマルチキャストサービスプロバイダから移動端末に双方向マルチキャストサービスを提供するためのシステムリソースを変更する方法が提供される。移動体通信システムは、コアネットワークおよび無線アクセスネットワークを備える。この方法は、双方向マルチキャストサービスのために構成された、確立されたシステムリソースを利用して双方向マルチキャストサービスのアップリンクマルチキャストサービスデータを移動端末から提供するステップを含む。双方向マルチキャストサービスのために構成された確立されたシステムリソースは、無線アクセスネットワークにおける無線リソースを制御する制御エンティティと移動端末との間の双方向無線ベアラを含む。
【００４２】
更に、ダウンリンクマルチキャストサービスのために構成されたシステムリソースを利用して双方向マルチキャストサービスのダウンリンクサービスデータが移動端末に提供される。ダウンリンクマルチキャストサービスのために構成されたシステムリソースは、無線アクセスネットワークにおけるポイントトゥマルチポイント接続を含む。更には、確立されたポイントトゥマルチポイント接続の代わりに、移動端末にダウンリンクマルチキャストサービスデータを提供するために無線アクセスネットワークにおけるポイントトゥポイント接続を利用するか判断される。ポイントトゥポイント接続を利用すると判断された場合には、移動端末にダウンリンクマルチキャストサービスデータを提供するために双方向マルチキャストサービスのために構成された確立されたシステムリソースが利用される。
【００４３】
本発明の変形例によると、ポイントトゥマルチポイント接続は、制御エンティティと移動端末との間の共有無線ベアラを有する。
【００４４】
一実施形態によると、ポイントトゥポイント接続を利用すると判断された場合には、共有無線ベアラを含み、ダウンリンクマルチキャストサービスのために構成されたシステムリソースが解放される。
【００４５】
本発明の別の実施形態によると、ダウンリンクマルチキャストサービスのために構成されたシステムリソースは、コアネットワークと無線アクセスネットワークにおけるエンティティとの間の少なくとも一つの接続を含む。更に、ポイントトゥポイント接続を利用すると判断された場合には、少なくとも一つの接続が維持され、ダウンリンクマルチキャストサービスのために構成された共有無線ベアラが解放される。
【００４６】
本発明の有利な実施形態によると、ダウンリンクマルチキャストサービスはアクティブにされ、ポイントトゥポイント接続を利用すると判断された場合には、ダウンリンクマルチキャストサービスが非アクティブにされる。
【００４７】
本発明は、更に、移動体通信システム内でマルチキャストサービスプロバイダから移動端末に双方向マルチキャストサービスを提供するためのシステムリソースを変更する方法に関する。移動体通信システムは、コアネットワークおよび無線アクセスネットワークを備える。双方向マルチキャストサービスのアップリンクマルチキャストサービスデータおよびダウンリンクマルチキャストサービスデータは、マルチキャストサービスプロバイダと移動端末との間で交換され、双方向マルチキャストサービスのために構成された確立されたシステムリソースが利用される。双方向マルチキャストサービスのために構成されたシステムリソースは、無線アクセスネットワークにおけるポイントトゥポイント接続を含む。
【００４８】
更に、確立されたポイントトゥポイント接続の代わりに、移動端末にダウンリンクマルチキャストサービスデータを提供するために無線アクセスネットワークにおけるポイントトゥマルチポイント接続を利用するか判断される。ポイントトゥマルチポイント接続を利用すると判断された場合には、コアネットワークにおけるダウンリンクマルチキャストサービスデータを送信するためにダウンリンクマルチキャストサービスのためにコアネットワークにおいてシステムリソースが構成される。更に、制御エンティティから移動端末にダウンリンクマルチキャストサービスデータを提供するために無線アクセスネットワークにおいて共有無線ベアラが確立される。
【００４９】
本発明の変形例では、ポイントトゥポイント接続は、制御エンティティと移動端末との間の双方向無線ベアラを含む。
【００５０】
本発明の実施形態によると、ポイントトゥマルチポイント接続を利用すると判断された場合には、ダウンリンクマルチキャストサービスデータを送信するためにダウンリンクマルチキャストサービスがアクティブにされる。
【００５１】
更なる実施形態では、ポイントトゥマルチポイント接続を利用すると判断された場合には、ダウンリンクマルチキャストサービスのためのコアネットワークにおけるシステムリソースの構成がコアネットワークにおける確立されたシステムリソースを利用する。
【００５２】
本発明は、更に、移動体通信システム内でダウンリンクマルチキャストサービスプロバイダから移動端末にダウンリンクマルチキャストサービスデータを送信するダウンリンクマルチキャストサービスを設定する方法を提供する。移動体通信システムは、コアネットワークと無線アクセスネットワークを有する。ダウンリンクマルチキャストサービスは、双方向マルチキャストサービスからの通知に応じて、双方向マルチキャストサービスのダウンリンクマルチキャストサービスデータを移動端末に提供するために使用される。更に、コアネットワークにおいてシステムリソースが存在するか否かが確認され、システムリソースは双方向マルチキャストサービスのために事前に構成される。コアネットワークにおいてシステムリソースが存在する場合には、コアネットワークにおいてダウンリンクマルチキャストサービスデータを提供するためにコアネットワークにおいて事前に構成されたシステムリソースが利用される。
【００５３】
コアネットワークにおいてシステムリソースが存在しない場合には、コアネットワークにおいて双方向マルチキャストサービスのダウンリンクマルチキャストサービスデータを提供するためにコアネットワークにおいてシステムリソースが構成される。移動端末にダウンリンクマルチキャストサービスデータを提供するために無線アクセスネットワークにおいてポイントトゥポイント接続またはポイントトゥマルチポイント接続を利用するかが判断される。ポイントトゥポイント接続を利用すると判断された場合には、設定手順を中止し、コアネットワークにおける構成されたシステムリソースが維持される。ポイントトゥマルチポイント接続を利用すると判断された場合には、移動端末にダウンリンクマルチキャストサービスデータを提供するために無線アクセスネットワークにおいて共有無線ベアラが確立されるか確立された共有無線ベアラが使用される。
【００５４】
本発明は、更に、移動体通信システム内でマルチキャストサービスプロバイダから移動端末に双方向マルチキャストサービスを提供する方法を提供する。移動体通信システムは、コアネットワークと無線アクセスネットワークを有する。システムリソースは、双方向マルチキャストサービスのマルチキャストサービスデータの送信のために移動体通信システムにおいて双方向マルチキャストサービスのために構成される。構成は、移動端末と無線アクセスネットワークの無線リソースを制御する制御エンティティとの間で双方向無線ベアラを確立することを含む。更に、移動端末に双方向マルチキャストサービスのダウンリンクマルチキャストサービスデータを提供するために無線アクセスネットワークにおいてポイントトゥポイント接続またはポイントトゥマルチポイント接続を利用するか判断される。ポイントトゥポイント接続を利用すると判断された場合には、移動端末にダウンリンクマルチキャストサービスデータを提供するために双方向マルチキャストサービスのために確立されたシステムリソースが利用される。ポイントトゥマルチポイント接続を利用すると判断された場合には、ダウンリンクマルチキャストサービスを介して双方向マルチキャストサービスのダウンリンクマルチキャストサービスデータの送信のためにコアネットワークにおいてダウンリンクマルチキャストサービスのためのシステムリソースが構成される。追加的には、移動端末にダウンリンクマルチキャストサービスデータを提供するために無線アクセスネットワークにおいて共有無線ベアラが確立するか確立された共有無線ベアラが使用される。
【００５５】
本発明によると、ダウンリンクマルチキャストサービスを設定する方法が提供される。設定は、移動体通信システム内でダウンリンクマルチキャストサービスプロバイダから移動端末に双方向マルチキャストサービスのダウンリンクデータを送信するためにダウンリンクマルチキャストサービスプロバイダに双方向マルチキャストサービスのダウンリンクデータを送信する双方向マルチキャストサービスによって開始される。移動体通信システムは、コアネットワークと無線アクセスネットワークを有する。
【００５６】
ダウンリンクマルチキャストサービスは、移動端末に関する情報を含む通知を双方向マルチキャストサービスから受信する。移動端末は双方向マルチキャストサービスに登録され、移動端末はダウンリンクマルチキャストサービスを利用して双方向マルチキャストサービスのダウンリンクデータを受信する。移動端末はダウンリンクマルチキャストサービスに登録される。双方向マルチキャストサービスを受信する移動端末の各移動端末のためにダウンリンクマルチキャストサービスにコアネットワークにおけるシステムリソースが構成される。
【００５７】
本発明は、更に、システムリソースを構成するネットワークエンティティであって、移動体通信システムの無線アクセスの一部であるネットワークエンティティを提供する。双方向マルチキャストサービスのダウンリンクマルチキャストサービスデータは、ダウンリンクマルチキャストサービスを利用して移動端末に提供される。ネットワークエンティティは、マルチキャストサービスプロバイダから移動端末にマルチキャストサービスデータを送信する双方向マルチキャストサービスのために移動体通信システムのシステムリソースを構成するプロセッサを備える。構成は移動端末と無線アクセスネットワークの無線リソースを制御する制御エンティティとの間で双方向無線ベアラを確立することを含む。
【００５８】
プロセッサは移動端末に双方向マルチキャストサービスのダウンリンクマルチキャストサービスデータを提供するために無線アクセスネットワークにおいてポイントトゥポイント接続またはポイントトゥマルチポイント接続を利用するか判断するよう更に適合される。ダウンリンクマルチキャストサービスデータを受信する受信装置が設けられる。送信装置は、ポイントトゥポイント接続を利用すると判断された場合には、確立された双方向無線ベアラを介して受信したダウンリンクマルチキャストサービスデータを転送する。ポイントトゥマルチポイント接続を利用すると判断された場合には、受信したダウンリンクマルチキャストサービスデータは移動端末に確立された共有無線ベアラを介して転送される。
【００５９】
本発明によると、システムリソースを構成するネットワークエンティティが提供され、ネットワークエンティティは移動体通信システムの無線アクセスの一部である。双方向マルチキャストサービスは、移動端末に提供され、双方向マルチキャストサービスのダウンリンクマルチキャストサービスデータはダウンリンクマルチキャストサービスを利用して移動端末に提供される。ネットワークエンティティは、双方向マルチキャストサービスのマルチキャストサービスデータの送信のために移動体通信システムのシステムリソースを構成するプロセッサを含む。構成は、移動端末に双方向無線ベアラを確立することを含む。受信装置は、ダウンリンクマルチキャストサービスデータを送信するためのダウンリンクマルチキャストサービスを利用して双方向マルチキャストサービスで提供される移動端末に関する情報を含み、移動体通信システムにおけるコアネットワークのネットワークエンティティから通知を受信する。
【００６０】
プロセッサは、移動端末にダウンリンクマルチキャストデータを提供するために無線アクセスネットワークにおいてポイントトゥポイント接続またはポイントトゥマルチポイント接続を利用するか判断するよう更に適合される。送信装置は、コアネットワークのネットワークエンティティに通知を送信するために設けられ、通知メッセージはポイントトゥポイント接続を利用する移動端末の識別および双方向マルチキャストサービスの識別を含む。受信装置は、ダウンリンクマルチキャストサービスデータを受信する。送信装置は、ポイントトゥポイント接続を利用すると判断された場合には双方向マルチキャストサービスのために構成された確立された双方向無線ベアラを介して受信したダウンリンクマルチキャストサービスデータを転送する。ポイントトゥマルチポイント接続を利用すると判断された場合には移動端末に確立された共有無線ベアラを介して受信したダウンリンクマルチキャストサービスデータが転送される。
【００６１】
本発明は、更に、双方向マルチキャストサービスプロバイダによって提供される双方向マルチキャストサービスに参加する移動体通信システム内の移動端末を提供する。移動体通信システムでは、双方向マルチキャストサービスのダウンリンクマルチキャストサービスデータはダウンリンクマルチキャストサービスを利用して移動端末に提供される。移動端末は、双方向マルチキャストサービスのサービスデータの送受信のための無線アクセスネットワークの制御エンティティへの双方向無線ベアラを含み移動体通信システムにおいてシステムリソースを構成するよう適合されるプロセッサを備える。
【００６２】
プロセッサは、ダウンリンクマルチキャストサービスを介してダウンリンクマルチキャストサービスデータを受信するよう移動体通信システムにおいてシステムリソースを構成するよう更に適合される。無線アクセスネットワークにおいてポイントトゥポイント接続と判断された場合には確立された双方向無線ベアラを介してダウンリンクマルチキャストサービスデータを受信し、ポイントトゥマルチポイント接続と判断された場合には確立された共有無線ベアラを介してダウンリンクマルチキャストサービスデータを受信する。
【発明を実施するための最良の形態】
【００６３】
以下、本発明を添付の図面を参照してより詳細に説明する。図中、同様のまたは対応する細部には同じ参照番号が付与される。
【００６４】
以下の段落では、本発明の様々な実施形態を説明する。例示目的のみとして、殆どの実施形態をＵＭＴＳ通信システムに関連して概要を説明し、後続するセクションで使用される用語はＵＭＴＳ用語に主に関連する。しかしながら、ＵＭＴＳアーキテクチャの実施形態の用語および説明は、本発明の原理および思想をこのようなシステムに限定することを意図するものではない。
【００６５】
更に、背景技術のセクションで記載した詳細な説明は、以下に説明する主としてＵＭＴＳ特有の典型的な実施形態をより良く理解することを意図し、本発明を移動体通信ネットワークにおける処理および機能の説明する特定の実行に限定するもとして解釈されてはならない。
【００６６】
本発明によると、無線ベアラは、無線アクセスネットワークにおける制御エンティティと一つのあるいは複数のユーザ端末との間の論理的接続として定義され得る。更に、無線ベアラは、個別でもよく、この場合には一つのユーザ端末とポイントトゥポイント（ＰＴＰ）接続が確立される。代替的には、無線ベアラは、ポイントトゥマルチポイント（ＰＴＭ）接続でもよく、この際、無線ベアラは同じ無線セルにおける複数のユーザ端末によって共有され得る。
【００６７】
コンテキストとは、情報の組として定義され、サービスデータを送信するために使用されるシステムリソースを定める目的で通信システムのネットワークノードで確立される。ネットワークエンティティは、サービスプロバイダからのサービスデータのエントリーポイントとして機能してサービスデータを移動体通信の更なるエンティティに転送する、移動体通信システムにおけるコアネットワークのエンティティとして定義される。例えば、標準ＵＭＴＳ実行では、ネットワークエンティティはゲートウェイＧＰＲＳサポートノード（ＧＧＳＮ）でもサービスＧＰＲＳサポートノード（ＳＧＳＮ）でもよい。更に、他の実行によると、ネットワークエンティティはゲートウェイでもよい。
【００６８】
制御エンティティは、無線アクセスネットワークにおける無線リソースを制御する、移動体通信システムの無線アクセスネットワークのエンティティとして定義され得る。典型的なＵＭＴＳ実行では、制御エンティティは無線ネットワークコントローラ（ＲＮＣ）またはノードＢでもよい。制御エンティティは、その制御下で移動端末に無線ベアラを設定する機能を典型的には担っている。
【００６９】
移動体通信システムにおけるシステムリソースの構成は、ユーザ端末とサービスプロバイダとの間で必要な接続の確立として定義され得る。無線アクセスネットワークでは、無線ベアラが構成され、その後、ＲＡＮの必要なリソースが該無線ベアラのために明示的に予約される。制御ネットワークでは、システムリソースの構成は、コアネットワークのネットワークエンティティとＲＡＮの制御エンティティとの間の接続を含んでもよい。典型的なＵＭＴＳ実行では、コアネットワークにおける構成されたシステムリソースは、ＳＧＳＮとＧＧＳＮの間、および、ＳＧＳＮとＲＮＣとの間にトンネルを有してもよい。コアネットワークでトンネルを構成中、システムリソースは、特定のトンネルのために明示的に予約されてもされなくてもよい。
【００７０】
図１は、本発明の一実施形態による移動体通信システムを示す図である。サービスプロバイダ１０１は、ネットワークエンティティ１０３および制御エンティティ１０４を介して移動端末１０５に双方向マルチキャストサービスを提供する。双方向マルチキャストサービスは、双方向マルチキャストサービスに登録された複数のユーザ機器にサービスデータを提供し、更にユーザ機器からデータを受信することで定められる。ネットワークエンティティ１０３は移動体通信システムのコアネットワークの一部である。制御エンティティ１０４は、移動体通信システムの無線アクセスネットワーク（ＲＡＮ）の一部であって、ＲＡＮにおける無線リソースを制御する。
【００７１】
最初に、システムリソースが、制御エンティティ１０４とＵＥ１０５との間で双方向無線ベアラ１０６を確立することを含む、双方向マルチキャストサービスのサービスデータの送信のために構成される。移動端末１０５への双方向マルチキャストサービスのダウンリンクサービスデータの送信について、ダウンリンクマルチキャストサービス１０２が利用される。ダウンリンクデータ提供のためにダウンリンクマルチキャストサービスを使用するためには、ネットワークエンティティ１０３と制御エンティティ１０４との間の接続１０８、ダウンリンクマルチキャストサービス１０２とネットワークエンティティ１０３との間の接続１０９、および、双方向マルチキャストサービス１０１とダウンリンクマルチキャストサービス１０２との間の接続１１０を含み、コアネットワークにおけるシステムリソースが構成される。
【００７２】
ダウンリンクマルチキャストサービスと双方向マルチキャストサービスの後の構成は、ダウンリンクデータ提供のためにＵＥ１０５に対してＰＴＰまたはＰＴＭ接続のいずれを使用するかといった制御エンティティ１０４の判断に依存する。本発明の実施形態によると、制御エンティティ１０４がＰＴＰ接続と判断された場合には、確立された双方向無線ベアラ１０６を含む、双方向サービスのために確立されたシステムリソースが移動端末１０５にダウンリンクマルチキャストサービスデータを提供するために利用される。ダウンリンクマルチキャストサービス１０２を使用する代わりに、ダウンリンクマルチキャストサービスをＵＥ１０５に送るために双方向マルチキャストサービス１０１が使用される。図１では、このＰＴＰ接続は実線の連続的な線で示される。
【００７３】
制御エンティティ１０４が移動端末に対してＰＴＭ接続と判断した場合には、ダウンリンクマルチキャストサービスの設定が再開され、ダウンリンクマルチキャストサービスデータがダウンリンクマルチキャストサービスの確立されたリソース１１０、１０９、１０８を介して送信される。更に、上記ダウンリンクマルチキャストサービスデータが共有無線ベアラを介して送信される。共有無線ベアラ１０７が存在し且つ利用可能である場合、上記した確立済み共有無線ベアラがダウンリンクマルチキャストサービスデータを提供するために利用される。共有無線ベアラが存在せず且つ利用可能でない場合、新しい共有無線ベアラ１０７が構成され、移動端末１９５にダウンリンクマルチキャストサービスデータを提供するために必要な無線リソースが予約される。このＰＴＭ接続は破線で示される。実際には、破線で示される個別無線ベアラ１０６は、双方向マルチキャストサービスのために確立されて実線で示される無線ベアラ１０６と同じである。無線ベアラ１０６は、例示上の理由、特に、ＰＴＰとＰＴＭの二つのケースを別々にするためにだけ分解されている。しかしながら、実際には、上記二つの無線ベアラ１０６は、使用は異なるが同一である。
【００７４】
従って、これは、実線と破線でそれぞれ示される接続１１１および１１２でも同じである。別個の接続として表されるが、実際には同じであり、例示上の理由、即ち、ＰＴＰとＰＴＭの二つのケースを区別するためにだけ分けられている。
【００７５】
異なる使用は、それぞれの接続の矢印によって示される。例えば、接続１０６はＰＴＰとＰＴＭの判断に基づいて異なって使用される。
【００７６】
ＰＴＰモード（実線）では、個別無線ベアラ１０６はアップリンクとダウンリンクの両方向に利用される。それにより、本発明の実施形態によると、制御エンティティ１０４によってＰＴＰ接続と判断された場合には、一つの移動端末１０５と制御エンティティ１０４との間でサービスデータを交換して、データを双方向マルチキャストサービスプロバイダ１０１に転送するために一つの無線ベアラだけが使用される。
【００７７】
ＰＴＭモード（破線）では、個別無線ベアラ１０６が主のアップリンク送信に使用される。共有無線ベアラ１０７がダウンリンクマルチキャストサービスデータを送信するために使用される。従って、制御エンティティ１０４がＰＴＭ接続と判断すると、二つの無線ベアラがサービスデータを交換するために使用される。
【００７８】
つまり、アップリンクマルチキャストサービスについて移動端末にＰＴＰ接続と判断されると、アップリンクおよびダウンリンクマルチキャストサービスデータの両方が双方向マルチキャストサービスおよび個別無線ベアラ１０６を含む確立されたシステムリソースを介して送信される。
【００７９】
ダウンリンクマルチキャストサービスについて移動端末にＰＴＭ接続と判断されると、アップリンクマルチキャストサービスデータは個別無線ベアラ１０６を含み双方向サービスのために確立されたシステムリソースを利用して双方向マルチキャストサービス１０１に送信される。しかしながら、ダウンリンクマルチキャストサービスデータは、共有無線ベアラ１０７を含みダウンリンクマルチキャストサービス１０２のために確立されたシステムリソースを介して移動端末１０５に提供される。以上より、双方向マルチキャストサービスプロバイダ１０１から移動端末１０５へ、アップリンクデータ用とダウンリンクデータ用の二つのデータ路が定められる。
【００８０】
図６は、本発明の実施形態が実施される典型的なＵＭＴＳ通信システムを概略的に例示する。
【００８１】
双方向マルチキャストサービスは、ＩＭＳ装置でもよく、ダウンリンクマルチキャストサービスはＭＢＭＳサービスでもよい。従って、ＩＭＳアプリケーションサーバ（ＩＭＳ−ＡＳ）６１６は、複数のユーザ機器６０８−６１１にＩＭＳサービスを提供し、それにより、サービスデータのソースエンティティとして機能する。ＩＭＳサービスは、システムリソース構成を開始し、ネットワーク素子ＧＧＳＮ６０３、ＳＧＳＮ６０４、ＲＮＣ６０５と、ノードＢ６０６、６０７との間の接続を確立する。更には、複数のＵＥそれぞれへのノードＢの個別接続（ＰＴＰ）６１７、６１８、６１９、６１５が確立される。
【００８２】
ＩＭＳ−ＡＳ６１６は、ダウリンクサービスデータを提供するためにＭＢＭＳサービスを使用すると判断してもよい。その結果、ＩＭＳサービスのダウンリンクデータは、ＭＢＭＳサービスのサービスプロバイダであるマルチキャストサービスセンター（ＢＭ−ＳＣ）６０１に送られる。しかしながら、一つのエンティティでだけＩＭＳ−ＡＳ６１６とＢＭ−ＳＣ６０１を実行することも可能である。従って、これ以上のインタフェースは二つのエンティティ間で必要なくなる。
【００８３】
ＢＭ−ＳＣ６０１は、ＭＢＭＳデータ送信用のデータソースである。この場合、ＭＢＭＳデータはＩＭＳサービスのダウンリンクデータである。それによりＢＭ−ＳＣ６０１は、ＩＭＳダウンリンクデータのスケジュールを制御することができる。サービスデータは、ゲートウェイＧＰＲＳ（汎用パケット無線サービス）サポートノード（ＧＧＳＮ）６０３にインターネット等のパケットデータネットワーク（ＰＤＮ）６０２を介して送信されてもよい。ＧＧＳＮ６０３は、ＭＢＭＳサービスのＩＰデータのエントリーポイントとなる。全ての到来接続（incoming connections）および発信接続（outgoing connections）はＧＧＳＮ６０３を通る。ＧＧＳＮ６０３は、特定のサービングＧＰＲＳサポートノード（ＳＧＳＮ）６０４にサービスデータを転送する。ＭＢＭＳアーキテクチャ内のＳＧＳＮ６０４の役割は、個々のユーザ機器６０８−６１１それぞれに対してＭＢＭＳベアラサービス制御機能を実行し、無線アクセスネットワーク（ＲＡＮ）にＭＢＭＳ送信を提供することである。図１に例示するコアネットワークのネットワークエンティティ１０３は、ＵＭＴＳネットワークにおけるＧＧＳＮ６０３でもＳＧＳＮ６０４でもよい。その結果、図１では、無線アクセスネットワークの制御エンティティ１０４はＲＮＣ６０５でもよい。
【００８４】
典型的なＵＭＴＳネットワークは、呼およびデータ接続を切換え、全ての無線関連の機能を取り扱うＲＡＮにルーティングするコアネットワーク（ＣＮ）に分割される。本例では、コアネットワークはＩＭＳ−ＡＳ６１６、ＢＭ−ＳＣ６０１、ＰＤＮ６０２、ＧＧＳＮ６０３、および、ＳＧＳＮ６０４よりなる。データは、コアネットワークの各エンティティから次のエンティティに転送され、それによりＭＢＭＳサービスプロバイダ６０１からＲＡＮのアクセスポイントにアップリンクとダウンリンクデータ路が形成される。ＲＡＮへのエントリーポイントは無線ネットワークコントローラ（ＲＮＣ）６０５でもよい。システムリソースは、ＲＮＣ６０５からＵＥへの無線ベアラ確立を少なくとも含み、エンティティＧＧＳＮ６０３、ＳＧＳＮ６０４、および、ＲＮＣ６０５間のトンネル構成を更に含むデータを転送するよう構成される。
【００８５】
ＲＮＣ６０５は、対応するノードＢ６０６および６０７を介してドメインで異なるセル６１２および６１３を制御する。ＲＮＣ６０５は、それぞれのノード６０６、６０７を介して特定のセルにマルチメディアデータを選択的に送信する。ユーザ機器６０８−６１１は、異なるセルに位置し、それぞれノードＢ６０６および６０７によってダウンリンクサービスデータが無線で提供される。ＲＮＣの制御の下、ノードＢ６０６、６０７はＭＢＭＳサービスを提供するためにあるセルにおいてエアインタフェース上で物理的なチャネル６１４、６１５、６１７、６１８、６１９、６２０を確立する。
【００８６】
ＲＡＮにおいてＵＥにサービスを効率的に提供するためには、データ送信にポイントトゥポイント（個別無線ベアラ）またはポイントトゥマルチポイント（共有無線ベアラ）のいずれを使用するかが典型的にはＲＮＣによって判断される。ＰＴＰ接続は、ＵＥとＲＡＮとの間の一対一の接続であり、ＰＴＭ接続はＲＡＮと複数のＵＥとの間の一対多数の接続である。無線ベアラは、無線リソースを制御するＲＡＮにおけるネットワークエンティティとＵＥとの間の論理的な接続として定義され得る。たとえば、典型的な移動体通信システムでは、無線リソースを制御するＲＡＮにおけるネットワークエンティティはＲＮＣと称される。この場合、無線ベアラはＲＮＣからノードＢへの接続やノードＢからＵＥへのエアインタフェース接続を有してもよい。
【００８７】
どの種類の接続を使用するかといった判断は、例えば、特定のＭＢＭＳサービスが提供されて、セルに位置するＵＥの数に基づいて行われてもよい。典型的には、個別チャネルと比較して効率的な電力制御のない放送チャネル（ＰＴＭ接続）を使用するために、同じコンテンツを受信するよう数個以上のＵＥが必要である。そのため、利用可能な無線リソースの効率的な使用が確実になる。
【００８８】
本発明は、ＭＢＭＳサービスを利用するＵＥへのＲＮＣからのダウンリンクＩＭＳデータの提供のためにＰＴＰ接続（個別無線ベアラ）がＲＮＣによって選択される場合を示す。図６に示す典型的な実施形態によると、ＲＮＣは、ノードＢ２  ６０７を介しＭＢＭＳサービスのためにセル２  ６１３に位置する単独のＵＥ４  ６１１にＰＴＰ接続６２０を確立する。
【００８９】
図６には示さないが、一つのＭＢＭＳサービスのために複数のＳＧＳＮと各ＳＧＳＮのための複数のＲＮＣがサービス提供に使用されてもよい。ＳＧＳＮそれぞれは、ダウンリンクデータを受信するＵＥにサービスを提供するＲＮＣにデータを選択的に送信し、ＲＮＣそれぞれはその制御下にあるセルのＵＥにサービスデータを選択的に送信する。データストリームを送信すべきノードのリストが、ＭＢＭＳアーキテクチャのネットワークエンティティに記憶されてもよい。例えば、ＲＮＣのリストがＳＧＳＮに記憶され、セルのリストが各ＲＮＣに記憶されて、リストで特定されたノードにだけ後にデータを選択的に送信する。
【００９０】
送信のために割り当てるシステムリソースを定めることでＭＢＭＳサービス提供を確立するために、情報の組を含むコンテキストがＵＥとネットワークノードで確立されてもよい。例えば、ＭＢＭＳサービスアーキテクチャでは、ＭＢＭＳ  ＵＥコンテキストとＭＢＭＳベアラコンテキストが確立される。ＭＢＭＳ  ＵＥコンテキストは、ＵＥが参加した特定のＭＢＭＳベアラサービスに関連するＵＥ特有情報を含んでもよい。ＭＢＭＳ  ＵＥコンテキストは、ＵＥがＭＢＭＳサービスに参加した場合にはＵＥ、ＳＧＳＮ、ＧＧＳＮ、および、ＢＭ−ＳＣで作成されてもよい。以下の表１は、典型的なＭＢＭＥ  ＵＥコンテキストを例示する。
【００９１】
【表１】
2009529816.tif 000003
【００９２】
パラメータは、サービスプロバイダであるＢＭ−ＳＣ６０１からコンテキストのユーザ機器へのルーティング路を定める。指定されたＡＰＮは、ＵＥに提供されるＭＢＭＳサービスを識別するために使用され得る。ＡＰＮは、例えば、ユーザが要求したサービスまたはユーザパケットが転送されるべき外部パケットネットワークにおけるアクセスポイントのアドレスを決定するためにＧＧＳＮによって使用される論理的な名前である。
【００９３】
前述の通り、コンテキストは、ネットワークにアクセスするか特定のサービスを提供および受けるために必要である。二つのサービスＩＭＳおよびＭＢＭＳそれぞれのために異なるコンテキストが確立される。
【００９４】
ＩＭＳサービスについては、典型的にはＰＤＰコンテキストがＩＭＳ制御シグナリングとＩＭＳデータに作成される。代替的には、二つのＰＤＰコンテキストが確立されてもよく、一次ＰＤＰコンテキストがＩＭＳ制御シグナリングに使用されてもよく、二次コンテキストがＩＭＳデータのためにアクティブにされてもよい。
【００９５】
ネットワークノードによって維持されるＩＭＳ  ＰＤＰコンテキストは、特定のサービスプロバイダ向けであり特定のサービスプロバイダから生成されたユーザパケットをどのようにして転送するかを決定するためにネットワークが使用する一組の情報を含んでもよい。例えば、コンテキストは、ＰＤＰパケットを送受信するために移動体によって使用されるＰＤＰアドレスを含んでもよい。更に、ルーティング情報はＰＤＰコンテキストよりなり、トンネル（ＴＥＩＤ）のトンネル終点識別子およびＩＭＳサービスを識別するアクセスポイントネーム（ＡＰＮ）を含む。更に、品質サービスプロフィールが定義されてもよいが、本発明の機能には関連していない。
【００９６】
図６には二つの別個のデータ路が示され、一方はアップリンク用でもう一方はダウンリンク用である。以下では、以下では、ＲＡＮにおいてＰＴＰ接続６１５、６２０を有するＵＥ  ６１１を例示に使用する。ＭＢＭＳサービスプロバイダであるＢＭ−ＳＣ６０１は、ＩＭＳアプリケーションサーバ（ＩＭＳ−ＡＳ）６１６からダウンリンクサービスデータを受信する。ダウンリンクサービスデータは、インターネット等のＰＤＮ６０２を介してＧＧＳＮ６０３にルーティングされ、ＵＥ４  ６１１にＣＮとＲＡＮの全てのネットワークエンティティによって転送される。ＵＥ４  ６１１からのアップリンク路は、ＭＢＭＳサービスのＢＭ−ＳＣ６０１に迂回することなく直接ＩＭＳ−ＡＳ６１６に向かう。アップリンク路上のネットワークエンティティは、ＵＥ４６１１、ＲＮＣ６０５、ＳＧＳＮ６０４、ＧＧＳＮ６０３、ＰＤＮ６０２、および、ＩＭＳ−ＡＳ６１６の順に通る。
【００９７】
図７のシーケンス図は、ＵＥにダウンリンクサービスデータを提供するためにＭＢＭＳマルチキャスト能力を用いるＩＭＳサービス提供の論理的なシーケンスを概略的に示す。
【００９８】
最初に、ＵＥ４  ６１１は、ＩＭＳ−ＭＢＭＳサービスに登録する。ＩＭＳ−ＭＢＭＳサービスといった用語は、ＩＭＳサービスデータのダウンリンク提供のためにＭＢＭＳサービスを用いるＩＭＳサービスを示す。ダウンリンクデータを提供するためにＭＢＭＳサービスを使用するためには、ＭＢＭＳサービスがアクティブにされ、必要なコンテキストが確立される。
【００９９】
システムリソースは、アクティブにされたＩＭＳ  ＰＤＰコンテキストに従って構成されてもよい。これは、例えば、ＧＧＳＮ６０３とＳＧＳＮ６０４との間のトンネルおよびＳＧＳＮ６０４とＲＮＣ６０５との間のトンネルの確立を含む。追加的には、無線ベアラはＲＮＣ６０５とＵＥ４  ６１１との間で確立されてもよい。無線ベアラは、無線ベアラＩＤによって識別されてもよい。無線ベアラＩＤは、例えば、ＳＧＳＮ６０４、ＲＮＣ６０５、および、ＵＥ４  ６１１等に記憶されてもよい。
【０１００】
その後、ＭＢＭＳサービスのためのＵＭＴＳネットワークのシステムリソースも確立されたコンテキストに応じて構成される。従来のＭＢＭＳ設定手順は、ＧＧＳＮ６０３、ＳＧＳＮ６０４、および、ＲＮＣ６０５間のトンネルの設定と、ＲＮＣ６０５とＵＥ４  ６１１との間の無線ベアラの確立とを含む。後者は、個別無線ベアラまたは共有無線ベアラでもよい。個別無線ベアラまたは共有無線ベアラの使用は、例えば、特定の無線セルにおける同じＩＭＳ−ＭＢＭＳサービスを受けるユーザの数に依存する。セル２  ６１３については、ＵＥ４  ６１１のために個別無線ベアラが決定される。リソース構成後、サービスデータは確立されたアップリンクおよびダウンリンク路を介してＵＥ４  ６１１に、また、ＵＥ４  ６１１から転送される。
【０１０１】
従来のシステムでは、ＲＮＣがＩＭＳダウンリンクデータのＭＢＭＳサービス提供のためにＰＴＰリンク（個別無線ベアラ）を使用すると判断した場合、ＲＡＮにおいて二つの個別無線ベアラ６２０、６１５が確立されるが、それぞれ一方向にだけ使用される。前述の手順の最初の部分であるＩＭＳサービス設定では、無線ベアラ６１５がサービスプロバイダへのアップリンク接続と制御シグナリングのために構築され、それを介してＵＥのユーザ音声であるＰｏＣサービスが送信される。ＭＢＭＳサービス設定では、無線ベアラ６２０がサービスデータのダウンリンク送信のためにだけ確立され、それを介して他のＵＥのユーザ音声等がユーザに提供される。ＲＮＣからノードＢへのリソース予約が実行され、直交化符号、拡散等のノードＢからユーザ機器へのエアリンクリソースの予約も実行される。
【０１０２】
本発明の実施形態によると、移動端末へのダウンリンクサービスデータの提供にＰＴＰ接続が判断されると、ＩＭＳサービスがダウンリンクサービスデータを提供するためにＭＢＭＳサービスを使用しないが、個別無線ベアラを含む、ＩＭＳサービス設定中の確立済みシステムリソースを使用する。
【０１０３】
以下では、本発明の前述の実施形態を、図２に従ってより詳細に説明する。
【０１０４】
ＩＭＳアプリケーションサーバ２０１は、ユーザ機器２０７に提供されるＩＭＳサービスのサービスプロバイダである。ＩＭＳサービスは、双方向マルチキャストサービスの典型的なＵＭＴＳ実行でもよい。ＩＭＳサービスは、ダウンリンクマルチキャストサービスに対応し得るＩＭＳサービスデータのダウンリンク提供のためにＭＢＭＳサービスを使用する。従って、ＢＭ−ＳＣ２０２は、ユーザ機器に提供されるべきサービスデータをアプリケーションサーバ２０１から受信する。インターネット等のパケットデータネットワーク２０３は、サービスプロバイダＩＭＳ−ＡＳ２０１およびＢＭ−ＳＣ２０２と残りの提供ネットワーク素子との間に位置し得る。しかしながら、本発明ではパケットデータネットワークが間にあるか、サービスプロバイダが同じネットワークに位置するかは重要でない。
【０１０５】
ＧＧＳＮ２０４は、ＰＤＮ２０３からＳＧＳＮ２０５へのゲートウェイとして機能する。更には、ＧＧＳＮ２０４は、ＩＳＤＮネットワーク等の回路切換ネットワークへのアクセスポイントでもよい。ＳＧＳＮ２０５は更に無線アクセスネットワークのＲＮＣ２０６に接続され、ＲＮＣ２０６は更にユーザ機器２０７にリンク付けされる。ＲＮＣ２０６とＵＥ２０７との間で相互接続されるノードＢは省略されるが、ノードＢが存在し、ＲＮＣ２０６がノードＢを介してＵＥ２０７と通信することに注意すべきである。
【０１０６】
ＩＭＳサービスの設定後、ＩＭＳ−ＡＳ２０１はダウンリンクデータを送信するためにＭＢＭＳサービスを使用すると判断してもよい。
【０１０７】
この場合、ＩＭＳダウンリンクデータのためにＭＢＭＳサービスを受信するようユーザ群を登録するＩＭＳアプリケーションサーバ２０１等によってＢＭ−ＳＣ２０２で新しいＭＢＭＳサービスが確立される。その後、ＩＭＳアプリケーションサーバ２０１は、ＩＭＳ−ＭＢＭＳサービスに登録されたユーザ群に対応するＭＢＭＳユーザサービス記述を送る。
【０１０８】
それにより、ＭＢＭＳサービスアクティベーション処理が開始される。最初に、ＵＥ２０７はＧＧＳＮ２０４に参加メッセージを送り、ＧＧＳＮ２０４はＢＭ−ＳＣ２０２に承認要求を送信する。承認が成功すると、ＭＢＭＳコンテキストが有効になる。これは、ネットワークノードにおけるＭＢＭＳ  ＵＥコンテキストのアクティベーションを含む。ＩＭＳサービスのＰＤＰコンテキストと同様に、ＭＢＭＳ  ＵＥコンテキストはサービスデータのルーティングに必要な情報を含む。特定のパラメータを表１に示す。表１から明らかなように、ＭＢＭＳ  ＵＥコンテキストはＩＭＳサービスのＡＰＮも含み、組み合わされたＩＭＳ−ＭＢＭＳサービスの場合にはＩＭＳサービスのために確立されたＰＤＰコンテキストにおけるＡＰＮと同一である。ＵＥ２０７は、ＲＮＣによってそのＭＢＭＳ  ＵＥコンテキストが削除されないようＲＲＣ（無線リソース制御）接続モードで維持されなくてはならない。
【０１０９】
後続するステップは図３に示す。同図は本発明の実施形態に従って実行される論理的なシーケンスを示す。ＰＴＰまたはＰＴＭのいずれの無線接続が決定されたかをモニタリングできるよう、どの移動端末がＩＭＳ−ＭＢＭＳサービスに登録されたかを最初に識別することが必要である。本発明の本実施形態では、ＩＭＳ−ＭＢＭＳサービスを受ける移動端末の識別はＲＮＣ２０６で行われる。ＩＭＳサービスのＰＤＰコンテキストがＲＮＣ２０６では存在しないため、ＩＭＳ−ＭＢＭＳサービスを受ける移動端末を識別するために必要な情報をＲＮＣ２０６に提供する必要がある。典型的なＵＭＴＳネットワークでは、ＰＤＰコンテキスト情報は、ＳＧＳＮ２０５およびＧＧＳＮ２０４に存在し、そのためこれら二つのエンティティのいずれもＲＮＣ２０６に情報を送信することができる。
【０１１０】
具体的には、ＧＧＳＮまたはＳＧＳＮは、ＩＭＳサービスによって確立されたＰＤＰコンテキストにおいてＵＥ２０７のＩＭＳＩ（国際移動電話局アイデンティティ）パラメータを保持する。移動端末に対するＢＭ−ＳＣ２０２への承認要求の際、ＭＢＭＳサービスのＡＰＮを含むＭＢＭＳ承認応答メッセージがコアネットワークのネットワークエンティティに送信される。更に、ＭＢＭＳ  ＵＥコンテキストのＡＰＮとＰＤＰコンテキストのＡＰＮとを比較することで、ＲＮＣ２０６は特定のＵＥに提供されるサービスがＩＭＳ−ＭＢＭＳサービスか否かを識別することができる。
【０１１１】
その後、ＭＢＭＳセッション開始手順がＢＭ−ＳＣ２０２によって開始され、ＲＮＣ２０６にネットワーク素子を介して転送される。手順は、ＭＢＭＳデータの転送のためにネットワークにおける全ての必要なベアラリソースを作動し、送信が開始間近であることを登録されたＵＥに通知する要求である。
【０１１２】
ＭＢＭＳセッション開始手順は、ＲＮＣ２０６に関する限りは実施される。典型的なＲＡＮリソース設定前には、ＲＮＣ２０６が特定のＵＥ２０７のためにＰＴＰリンクを使用すると判断した場合には、ＲＮＣ２０６はＧＧＳＮまたはＳＧＳＮから受信したＰＤＰコンテキストの情報を確認し、それに含まれるＡＰＮをＭＢＭＳ  ＵＥコンテキストのＡＰＮと比較する。ＡＰＮが一致すると、特定のＵＥ２０７がＩＭＳ−ＭＢＭＳサービスに登録される。
【０１１３】
前述のＩＭＳおよびＭＢＭＳコンテキストそれぞれのＡＰＮの照合は、移動端末に対するＰＤＰコンテキストの受信直後に実行されてもよい。このような場合、識別後に、ＩＭＳ−ＭＢＭＳサービスを受ける識別された移動端末を含む表が作成される。移動端末のためにＰＴＰ接続が決定されると、ＲＮＣ２０６は移動端末がＩＭＳ−ＭＢＭＳサービスを受ける移動端末であるか否かに関して上記表を確認する。
【０１１４】
本発明の別の実施形態では、ＩＭＳ−ＭＢＭＳサービスを受ける移動端末の識別は、移動体通信システムの別のエンティティで行われる。例えば、以下では、ＧＧＳＮ２０４について説明するが、ＳＧＳＮ２０５にも適用され得る。
【０１１５】
ＭＢＭＳサービスアクティベーション処理中、および、ＩＭＳサービス設定後、ＵＥ４０７はＧＧＳＮ２０４に参加メッセージを送信する。参加メッセージは、二次ＰＤＰコンテキストによって定義される確立済みＩＭＳデータベアラを介して、または、一次ＰＤＰコンテキストによって定義されるＩＭＳ制御シグナリングベアラを介してＧＧＳＮ２０４に送信され得る。ＧＧＳＮ２０４は、ＢＭ−ＳＣ２０２の承認を要求し、成功するとＭＢＭＳサービスのＡＰＮを含むＭＢＭＳ承認応答メッセージを生成する。
【０１１６】
ＧＧＳＮ２０４は、ＩＭＳサービスのＰＤＰコンテキストにＵＥ２０７のＩＭＳＩ（国際移動電話局アイデンティティ）を保持する。更に、ＭＢＭＳ  ＵＥコンテキストのＡＰＮとＰＤＰコンテキストのＡＰＮを比較することで、特定のＵＥ２０７に提供されたサービスがＩＭＳ−ＭＢＭＳサービスか否かを識別することが可能となる。提供されたサービスがＩＭＳ−ＭＢＭＳサービスの場合、ＧＧＳＮ２０４はＩＭＳサービスの対応するＡＰＮパラメータも含みこの特定のＵＥ２０７を表に表記する。ＧＧＳＮ２０４は直接、または、ＳＧＳＮ２０５を介してこの特定のＵＥ２０７についてＲＮＣ２０６に通知する。
【０１１７】
ＭＢＭＳセッション開始手順が開始され、ＲＮＣ２０６に関する限りは実施される。典型的なＲＡＮリソース設定前には、ＲＮＣ２０６が特定のＵＥのためにＰＴＰリンクを使用すると判断した場合には、ＲＮＣ２０６は特定のＵＥがＧＧＳＮ２０４から受信した通知によって指定されたＵＥ２０７であるか確認する。
【０１１８】
ＵＥが、ＩＭＳ−ＭＢＭＳサービスを受けるよう登録された、且つ、指定されたＵＥ２０７である場合、ＲＮＣ２０６はこの指定されたＵＥ２０７について直接またはＧＧＳＮ２０４を介してＩＭＳ−ＡＳ２０１に通知する。ＲＮＣ２０６からＩＭＳ−ＡＳ２０１またはＧＧＳＮ２０４への通知後、ＲＮＣ２０６はＭＢＭＳサービスについてＲＡＮリソース設定手順中にリソース予約を開始しない。
【０１１９】
ＩＭＳ−ＡＳは、通知を受信すると、ＩＭＳサービスデータのダウンリンク提供にＭＢＭＳサービスを使用しない。その代わり、ＩＭＳサービスと、ＩＭＳサービスのための確立済みシステムリソースが、移動端末にダウンリンクデータを提供するために利用される。ＭＢＭＳサービスのために追加的な個別無線ベアラを確立する代わりにＩＭＳサービスの確立済み個別無線ベアラ２０８を利用することを含み、それにより無線リソースが節約される。無線ベアラ２０８は、ＵＥ２０７からＩＭＳアプリケーションサーバ２０１へのアップリンク接続や制御シグナリング、並びに、ＩＭＳ−ＡＳ２０１からＵＥ２０７（実線）へのダウンリンク接続に使用される。本発明の実施形態によると、ＭＢＭＳサービス設定における追加的な個別無線ベアラにどの無線リソースも無駄にされない。完全なシステムリソース設定後、データ転送が開始される。
【０１２０】
更に、ＰＴＰ接続と判断された場合にはどのＭＢＭＳサービスも移動端末に利用されないため、コアネットワークにおいて追加的なトンネルが確立されない。
【０１２１】
コアネットワークにおけるトンネルの構成は、トンネルの実施および装置によって明示的なリソース予約を含んでもよい。音声電話の標準的なＵＭＴＳ実行では、帯域幅等のリソースを予約する必要がない場合もある。しかしながら、より多くのリソースを必要とするビデオ会議やビデオストリーミング等の装置では、特定のトンネルの設定された品質サービス（ＱｏＳ）パラメータに従って明示的なリソース予約を実行することが望ましい。追加的なトンネルは確立されないため、システムリソースは節約される。
【０１２２】
ＭＢＭＳセッション開始手順中にＲＮＣによってＰＴＭ接続と判断された場合、移動端末２０７（破線）にＩＭＳダウンリンクデータを提供するためにＭＢＭＳサービスが利用される。ＢＭ−ＳＣ２０２、ＰＤＮ２０３、ＧＧＳＮ２０４、ＳＧＳＮ２０５、および、ＲＮＣ２０６等のネットワークエンティティ間の接続を含む。更に、上記ＰＴＭ接続モードにおけるシステムリソースの構成は、ＩＭＳサービス設定中に確立されたＰＴＰ無線ベアラ２０８を含む。無線ベアラ２０８は、矢印で示すように、主にＵＥ２０７からＩＭＳ−ＡＳへのアップリンク送信に使用される。更には、ＰＴＭ共有無線ベアラ２１０は、ＵＥ２０７にダウンリンクサービスデータを提供するために利用される。
【０１２３】
有利な実施形態では、ダウンリンク提供にＰＴＰ接続と判断されると、特定の移動端末のためにＩＭＳサービスがもはや使用しなくなるため、ＭＢＭＳサービスが更に非アクティブにされる。３ＧＰＰ（非特許文献２。ｈｔｔｐ：／／ｗｗｗ．３ｇｐｐ．ｏｒｇから入手可能。本文献は参照により本願に組み込まれる。）によって標準化された標準的な非アクティベーション手順を含んでもよい。ＭＢＭＳサービスの非アクティベーションは、典型的にはリンクの削除、登録の取り消し、および、非アクティベーションに関連するシグナリングを含む。更に、移動端末２０７に対するＭＢＭＳサービスの非アクティベーション中、それぞれのＭＢＭＳ  ＵＥコンテキストが最初に非アクティブにされて削除される。非アクティベーション手順中、ＢＭ−ＳＣ、ＲＮＣ、ＳＧＳＮ、ＧＧＳＮ、および、移動端末は、ＭＢＭＳサービスを非アクティブにするよう通知される。更に、非アクティベーションメッセージは、例えば、ＳＧＳＮまたはＧＧＳＮ、あるいは、ＲＮＣ、移動端末、または、ＢＭ−ＳＣから送られ得る。しかしながら、これは本発明の追加的且つ有利的な実施形態を示すに過ぎない。
【０１２４】
本発明の別の実施形態では、ＭＢＭＳサービスの非アクティベーション手順は、３ＧＰＰによる標準化されたＭＢＭＳサービスの非アクティベーションと異なる。
【０１２５】
ＭＢＭＳ  ＵＥコンテキストは、ＭＢＭＳサービスの非アクティベーション中に非アクティブにされるが削除されないため、ソフト非アクティベーションとも呼ばれる。ＭＢＭＳ  ＵＥコンテキストは、関係するネットワークエンティティで維持されてもよい。これは、近い将来移動端末がＭＢＭＳサービスを介してＩＭＳダウンリンクデータを受信する際に有利である。ソフト非アクティブにされたＭＢＭＳ  ＵＥコンテキストは後のＭＢＭＳ設定手順中に再びアクティブにされてもよい。ＭＢＭＳ設定の始まりでは、ＭＢＭＳサービスは、ＭＢＭＳサービス設定が実行されるべき移動端末のためにＭＢＭＳ  ＵＥコンテキストがソフト非アクティブにされたか否か確認する。幾らかのＭＢＭＳ  ＵＥコンテキストがネットワークエンティティに存在すると、それらが再びアクティブにされ、それにより設定が加速される。移動端末のためにＭＢＭＳ  ＵＥコンテキストが予め構成されていない場合、通常のＭＢＭＳ設定が実行され、その間、必要なＭＢＭＳ  ＵＥコンテキストが確立される。
【０１２６】
上述の実施形態によると、データ提供中にシステムリソース間の迅速且つ効率的な切換が可能となる。移動端末はＩＭＳサービスを提供され、例えば、ＩＭＳダウンリンクサービスデータはＭＢＭＳサービスおよびＲＡＮにおけるＰＴＭ接続を介して送信される。例えば、ＩＭＳ−ＭＢＭＳサービスを受けるＵＥの数が異なることにより、現在の無線セルにおいて無線状態が変化した場合、ＲＮＣは移動端末にＰＴＰ接続を使用すると判断してもよい。その結果、本発明によると、ＲＡＮにおける送信状態の変化がＩＭＳ−ＡＳに通知される。ＩＭＳ−ＡＳは、ＩＭＳダウンリンクサービスデータを提供するためにもはやＭＢＭＳサービスを使用しなくなるが、移動端末へのＲＡＮにおける個別無線ベアラ接続を含むＩＭＳサービスのシステムリソースを使用する。
【０１２７】
その後、ＭＢＭＳサービスは、移動端末のために非アクティブにされてもよい。しかしながら、ＭＢＭＳ  ＵＥコンテキストは削除されず、単にソフト非アクティブにされる。
【０１２８】
移動端末へのＩＭＳサービスの提供中、無線セルにおける無線状態は再び変化し、ＲＮＣは移動端末に対してＰＴＭ接続と判断する。この場合、ＩＭＳ−ＡＳはＭＢＭＳサービスをアクティブにすることで、ＭＢＭＳサービスフレームワークのマルチキャスト能力を利用し、ＭＢＭＳサービスを介してＩＭＳダウンリンクサービスデータを提供する。ＭＢＭＳサービスは、特定の移動端末に対して、ＭＢＭＳ  ＵＥコンテキストがソフト非アクティブされることを認識して、該ＭＢＭＳ  ＵＥコンテキストを再びアクティブにする。これにより、ＭＢＭＳ設定がより効率的且つ迅速になる。従って、移動端末に対する無線状態によって、移動端末に対して決定された接続によりＭＢＭＳリソースはオンオフ切り換えされる。
【０１２９】
具体的には、ＳＧＳＮ等のネットワークエンティティは、どのＵＥが組み合わせＩＭＳ−ＭＢＭＳサービスを使用するかに関する送信モード決定点、この場合、ＲＮＣを通知する。ＧＧＳＮやＢＭ−ＳＣサーバ等のＭＢＭＳ関連のネットワークエンティティは、ＭＢＭＳサービスセッションが終了するまで、ＵＥ関連のコンテキストを保留状態で維持し、つまり、参加するエンティティのＭＢＭＳ  ＵＥコンテキストを削除しない。
【０１３０】
従って、ＰＴＰサービスを受けている移動端末が、ＰＴＭサービスがアクティブでＰＴＭ接続が移動端末に対して決定されている状態で、セルにハンドオフすると、ＲＮＣは組み合わせＩＭＳ−ＭＢＭＳサービスを有するどのＵＥがＰＴＭに移動されたかについてＳＧＳＮ等のネットワークエンティティに通知する。更に、新しい無線ベアラ情報に関するＲＡＮコマンドをＵＥに通知する。ＲＮＣからの通知により、ネットワークエンティティは、ＵＥにＩＭＳベアラを介してデータを送ることを停止するようＩＭＳ−ＡＳにメッセージを送る。更に、このネットワークエンティティは、移動端末を含む他のネットワークエンティティにメッセージを送り、特定のＵＥに対してＭＢＭＳコンテキストを再びアクティブにする。
【０１３１】
ＰＴＰサービスを有する幾つかの移動端末が特定のセルに移動し臨界量に達した場合、上記セルで再びカウントが行われ、ＰＴＭモードが決定される。従って、ＰＴＭサービスがより効率的になるため、ＲＮＣは組み合わせＩＭＳ−ＭＢＭＳサービスを有する全ての移動端末がＰＴＭに移動されることをＳＧＳＮ等のネットワークエンティティに通知する。この通知により、ネットワークエンティティは、移動端末にＩＭＳベアラを介してデータを送ることを停止するようＩＭＳ−ＡＳにメッセージを送る。更に、このネットワークエンティティは、移動端末を含む他のネットワークエンティティにメッセージを送り、これらＵＥのためにＭＢＭＳコンテキストを再びアクティブにする。
【０１３２】
本発明の別の実施形態では、ＭＢＭＳサービスを使用するか否かの判断は、ＭＢＭＳセッション開始手順中の代わりに、ＩＭＳサービス設定中に既に行われている。
【０１３３】
移動端末はＩＭＳ−ＭＢＭＳサービスに登録され、ＰＤＰコンテキストの確立およびコアネットワークや無線アクセスネットワークにおける移動体通信システムのシステムリソースの構成を含み、ＩＭＳサービスが設定される。
【０１３４】
ＩＭＳサービスについて移動端末に個別無線ベアラが確立された後、ＲＮＣは移動端末へのＭＢＭＳサービスを介した将来的なダウンリンク提供に必要な十分な無線リソースを推定し得る。この推定に基づき、ＲＮＣはＭＢＭＳサービスにＰＴＰまたはＰＴＭ接続が確立されるかを決定することができる。ＲＮＣによってＰＴＰ接続が推定されると、該情報を含む通知がＩＭＳ−ＡＳに送信され、ＩＭＳ−ＡＳがＭＢＭＳサービスを使用しないと判断する。ＩＭＳ−ＡＳは、ダウンリンクサービスデータを提供するためにＩＭＳサービスのために構成されたシステムリソースを利用する。ＲＮＣによってＰＴＭ接続が推定されると、該情報を含む通知がＩＭＳ−ＡＳに送信され、ＩＭＳ−ＡＳはＭＢＭＳサービスを介してダウンリンクデータを提供するために移動端末のためにＭＢＭＳサービスのアクティベーションを開始する。
【０１３５】
図４には、ＩＭＳ−ＭＢＭＳサービス設定のフローチャートが示される。設定手順を論理的にだけ説明する、概略的なフローチャートである。例示するネットワークシステムは図２と匹敵し、移動端末（ＵＥ）、無線ネットワークコントローラ（ＲＮＣ）、ＳＧＳＮまたはＧＧＳＮでもよいコアネットワークにおけるネットワークエンティティ、放送マルチキャストサービスセンター（ＢＭ−ＳＣ）、および、ＩＭＳアプリケーションサーバ（ＩＭＳ−ＡＳ）よりなる。
【０１３６】
フローチャートは、ＩＭＳサービスのためのリソース構成から始まる（４０１）。主として、ＳＧＳＮ／ＧＧＳＮとＲＮＣの間のトンネルやＲＮＣとＵＥとの間の無線ベアラの確立を含む。その後、ＩＭＳ−ＡＳは、移動端末にダウンリンクサービスデータを提供するためにＭＢＭＳサービスを用いることを決定する。そのため、システムリソースは、ＭＢＭＳサービスのために構成され予約される（４０２）。主として、ＩＭＳ−ＡＳとＢＭ−ＳＣとの間の接続を含み、ＩＭＳ−ＡＳはＢＭ−ＳＣにダウンリンクサービスデータを送信する。更に、ＭＢＭＳリソース構成は、ＢＭ−ＳＣとＳＧＳＮ／ＧＧＳＮおよびＳＧＳＮ／ＧＧＳＮとＲＮＣの間のトンネルを含む。
【０１３７】
ＳＧＳＮ／ＧＧＳＮは、ダウンリンクマルチキャストサービスＭＢＭＳ）を用いる双方向サービス（ＩＭＳ）に登録されているＵＥを識別するに必要な情報を保持する（４０３）。そのため、本発明の一実施形態によると、ＳＧＳＮ／ＧＧＳＮは識別されたＵＥについてＲＮＣに通知する（４０４）。ＲＮＣは該情報を受信する（４０５）。ＭＢＭＳサービスのリソース構成中、ＲＮＣは該情報を保持し、ＲＮＣはＰＴＰまたはＰＴＭ接続のいずれを使用するか判断する（４０６）。ＲＮＣがＵＥに対してＰＴＰ接続と判断すると、ＲＮＣはＵＥについて確認し、ＵＥがＩＭＳ−ＭＢＭＳサービスを受けているユーザである場合、該判断と移動端末に関する情報を含みＩＭＳ−ＡＳに通知を送る（４０７）。更に、ＭＢＭＳサービス設定が中断される。この時点では、ＲＮＣＢＭ−ＳＣに非アクティベーション通知を送り（４１５）、この特定のＵＥのためにＭＢＭＳサービスを非アクティブにするよう促すことは任意である。更に任意には、ＭＢＭＳサービスの非アクティベーション中、更なる使用のためにＭＢＭＳ  ＵＥコンテキストはソフト非アクティブにされるが削除されない。
【０１３８】
ＩＭＳ−ＡＳが、この場合ＲＮＣから通知を受信すると（４０８）、ＩＭＳ−ＡＳは移動端末にダウンリンクサービスデータを提供するためにもはやＭＢＭＳサービスを使用しなくなる。その代わりに、ＩＭＳサービスは、ＩＭＳのためのリソース予約（４０１）中に確立された接続を利用して、ＲＮＣにダウンリンクサービスデータを転送し（４１２）、更に、ＩＭＳサービスのＰＴＰリソースを介してＵＥに転送する（４１３）。
【０１３９】
前述の通り、ＲＮＣは、移動端末のためにＰＴＰまたはＰＴＭ接続のいずれを使用するか判断する（４０６）。ＰＴＭ接続と判断された場合、ＭＢＭＳ設定が実行され、ＲＮＣは、ＭＢＭＳ  ＲＡＮリソースが既に確立されているか確認される（４１６）。ＭＢＭＳのためにどのＲＡＮリソースも利用可能でない場合、ＰＴＭ共有チャネルが移動端末に構成される（４１７）。
【０１４０】
更に、ＲＮＣがＰＴＭと判断すると、ＩＭＳ−ＡＳにどの通知も送信されず、従って、ＩＭＳ−ＡＳこれに関してどの通知も受けない。その後、ＩＭＳ−ＡＳは、ＭＢＭＳサービスのために構成され予約されたシステムリソースを介するＭＢＭサービスを用いてダウンリンクサービスデータを転送する（４０９）。
【０１４１】
ダウンリンクサービスデータは、ＲＮＣで受信され、移動端末に、既に利用可能な共有無線ベアラを介して、または、確立されたばかりの無線ベアラを介して転送される（４１０）。ＵＥは、ＰＴＭ共有チャネルを介してダウンリンクサービスデータを受信する（４１１）。
【０１４２】
図５では、サービスプロバイダとしてのＩＭＳアプリケーションサーバ５０１を含むＵＭＴＳネットワークが示される。ＩＭＳサービスが、ＵＥ１  ５１１、ＵＥ２  ５０９、および、ＵＥ３  ５１０といった複数のＵＥに提供される。ネットワークノードＧＧＳＮ５０４、ＧＧＳＮ５０５、および、ＲＮＣ５０６は、ＵＥに向けられ且つＵＥから送信されるサービスデータを転送する。二つの基地局ノードＢ１  ５０７およびノードＢ２  ５０８は、二つの異なる無線セル５１２、５１３を提供するＲＮＣ５０６に接続される。二つのセル間でのハンドオーバ手順を、同図を参照して説明する。
【０１４３】
三つのＵＥ５０９乃至５１１がセル１  ５１２に最初位置していると仮定する。サービスデータは、ノードＢ１  ５０７から該無線セルにおいてサービスに登録されている全てのＵＥ、この場合には三つのＵＥ５０９乃至５１１にＰＴＭリンク５１４を介して提供される。更に、個別無線ベアラ５１５は、移動端末５１１からノードＢ１  ５０７にサービスデータを送信するためにＩＭＳサービスおよびＵＥ５１１のために既に確立されている。ＵＥ５０９、５１０からノードＢ１へのＩＭＳサービスのアップリンク送信用の残りの個別ベアラが省略されているが、既に確立されている。
【０１４４】
破線は、ＵＥ１  ５１１へのＩＭＳサービス提供のための確立された接続を示す。これは、前述のＰＴＭ無線ベアラ５１４、ＰＴＰ無線ベアラ５１５、ノードＢ１  ５０７、ＲＮＣ５０６、ＳＧＳＮ５０５、ＧＧＳＮ５０４、および、ＰＤＮ５０３間それぞれの二つの接続を含む。更に、ＭＢＭＳサービスのＢＭ−ＳＣ５０２を介してＩＭＳ−ＡＳ５０１からＰＤＮ５０３にサービスデータを送信するために接続が確立される。最後に、一つのリンクがＰＤＮ５０３からＩＭＳ−ＡＳ５０１に直接接続される。例示する破線の矢印は、接続が主に使用されている送信方向を示す。
【０１４５】
ＵＥ１  ５１１がソースセルであるセル１  ５１２からターゲットセルであるセル２  ５１３に移動すると、ＲＮＣは無線セル２  ５１３においてサービスを受けるＵＥの量を確認する。セル２に他のＵＥがいないと仮定すると、ＲＮＣは、ＵＥ１  ５１１に対してＰＴＰ接続と判断する。ＩＭＳ個別無線ベアラ５１６が確立され、本発明の前述の実施形態によると、ＩＭＳ−ＡＳがＵＥ１にＩＭＳダウンリンクサービスデータを提供するためにＭＢＭＳサービスを使用しないよう通知される。その代わりに、ＩＭＳ−ＡＳ５０１は、そのダウンリンクサービスデータを、確立されたシステムリソースを介して送信する。この接続は実線で示される。ＰＴＰ接続５１６を含み、この場合、関連するネットワークエンティティである、ノードＢ２  ５０８、ＲＮＣ  ５０６、ＳＧＳＮ  ５０５、ＧＧＳＮ  ５０４、ＰＤＮ  ５０３、および、ＩＭＳ−ＡＳ  ５０１間それぞれで一つの接続が存在する。最後に、ノードＢ１  ５０７は、ＵＥ１からのアップリンクデータのために構成されたＰＴＰ接続５１５を破壊して、これに予約されていたシステムリソースを解放する。
【０１４６】
更に、本発明の上述の実施形態によると、ＭＢＭＳサービスの非アクティベーション手順を開始することができ、その間にＭＢＭＳ  ＵＥコンテキストが削除されるか維持される。ＭＢＭＳ  ＵＥコンテキストが削除されないがネットワークエンティティでソフト非アクティブにされる場合、または、ＵＥ１がＰＴＭ接続に変更されると、ＭＢＭＳ  ＵＥコンテキストが既に確立され再びアクティブにされるだけなのでＭＢＭＳサービスがより迅速且つ効率的に設定される。維持されたコンテキストは、コアネットワークおよび無線アクセスネットワークにおける全ての接続を定義する。無線リソースの方が通常重要であるため、コアネットワークのために予約されたシステムリソースだけを維持し、共有無線ベアラのために予約された無線リソースを解放することもできる。
【０１４７】
ハンドオーバ手順中にＵＥがＰＴＰ接続からＰＴＭ接続に変更する場合は図５には示されない。しかしながら、以下に簡単に説明する。
【０１４８】
ＵＥ１がソースセルである無線セル２  ５１３に位置し、目標セルである無線セル１  ５１２に移動すると仮定する。セル２では、該無線セルにおけるサービスに登録されているＵＥの数が少ないことにより、ＭＢＭＳサービスに対してＵＥへのＰＴＰ接続が決定されている。複数のＵＥがＰＴＭ接続を介してサービスを既に受信する、目標セルへのハンドオーバ中、ＲＮＣは共有無線ベアラを介して他のＵＥも同じサービスを目標セルで受けることを認識している。ＵＥは、目標セルへのハンドオーバ手順を実行し、ＰＴＭ接続、更には、コアネットワークにおける接続に関する必要な無線ベアラ情報を取得する。続いて、ＵＥ１は目標セルにおいてＰＴＭ接続上でＭＢＭＳサービスをリッスンする。ＲＮＣは、ソースセル５１３におけるＵＥの、前のＰＴＰ無線ベアラサービス５１６を破壊する。更には、ＵＥ１に対して、ＲＡＮにおける新しいＰＴＰ接続が構成されなくてはならず、これはアップリンク接続に主として使用される。更には、本発明の使用される具体的な実施形態により、ＧＧＳＮ５０４またはＳＧＳＮ５０５への通知メッセージが、移動端末ＵＥ１  ５１１がＭＢＭＳサービスを利用してダウンリンクサービスデータを受信することをＩＭＳ−ＡＳに報知するために送信されなくてはならない。
【０１４９】
更に、本発明の有利な実施形態によると、ＩＭＳサービスに登録されていてＭＢＭＳサービスを介してＩＭＳサービスのダウンリンクマルチキャストサービスデータを受信し得るユーザに対してＭＢＭＳサービスの事前構成を行うことも可能である。ＭＢＭＳサービスの設定は、ＩＭＳサービスによって開始され、ＩＭＳサービスはダウンリンクマルチキャストサービスデータを送信するために近い将来ＭＢＭＳサービスを利用してもよい。ＩＭＳサービスは、どの移動端末がＩＭＳサービスを受信するか認識しているため、該移動端末に関する情報をＭＢＭＳサービスに送信して移動端末をＭＢＭＳサービスに登録する。これは、各異動端末のシステムリソースの構成および予約を含む。確立されたシステムリソースは、ソフト非アクティブにされ、移動端末がＭＢＭＳサービスを介してダウンリンクサービスデータを提供される場合には、既に確立されているために上記システムリソースを再びアクティブにするに十分である。
【０１５０】
本発明は、上記実施形態で説明したシステムや図２および図５に例示した対応するＵＭＴＳネットワークで使用されるが、これらのシステムでの使用に限定されないことに注意する。他のコアネットワークエンティティを有するＵＭＴＳネットワークアーキテクチャも可能である。ＳＧＳＮやＧＧＳＮをコアネットワーク素子として使用する代わりに、ＰＤＮやＲＮＣへの単一のアクセスポイントとしてゲートウェイが実施されてもよい。この場合、ゲートウェイは本発明の実施形態におけるネットワークエンティティとして使用される。
【０１５１】
組み合わせＩＭＳ−ＭＢＭＳを用いてユーザ端末を識別する別の可能性は、特定のＩＭＳ−ＭＢＭＳサービスに限定して固有のマルチキャスト識別子を導入することである。例えば、固有のアクセスポイントネーム（ＡＰＮ）「ｉｍｓ−ｍｂｍｓ．ｓｅｒｖｅｒ．ｃｏｍ」でもよい。このアプローチ法では、ＩＭＳとＭＢＭＳサービス設定のためにアクティブにされたコンテキストにおける二つのマルチキャスト識別子を比較する必要性がなくなる。更に、図２および図３の実施形態に関して、固有のＡＰＮを用いることで、二つのサービスを一緒にリンク付けするための情報（ＡＰＮ）をＲＮＣに提供するようＩＭＳ  ＰＤＰコンテキストをＧＧＳＮまたはＳＧＳＮからＲＮＣに最初に送信する必要がもはやなくなる。ＲＮＣに記憶されているＭＢＭＳ  ＵＥコンテキストを確認し、ＩＭＳ−ＭＢＭＳサービスを有するＵＥを明確に識別するＡＰＮを探すだけで十分である。
【０１５２】
本発明の別の実施形態は、ハードウェアやソフトウェアを用いて各種実施形態を実行することに関する。上述の本発明の各種実施形態は、演算装置（プロセッサ）、例えば、汎用プロセッサ、デジタル信号プロセッサ（ＤＳＰ）、特定用途向け集積回路(ＡＳＩＣ)、フィールドプログラマブルアレイ（ＦＰＧＡ）または他のプログラミング可能論理装置を用いて実行または実施されることは明らかであろう。本発明の様々な実施形態は、これら装置の組み合わせによって実行または具現化されてもよい。
【０１５３】
更に、本発明の各種実施形態は、プロセッサによってあるいはハードウェアで直接実行されるソフトウェアモジュールを用いて実行されてもよい。ソフトウェアモジュールとハードウェア実行の組み合わせも可能である。ソフトウェアモジュールまたは命令はＲＡＭ、ＥＰＲＯＭ、ＥＥＰＲＯＭ、フラッシュメモリ、レジスタ、ハードディスク、ＣＤ−ＲＯＭ、ＤＶＤ等の全ての種類のコンピュータ読取可能記憶媒体に記憶され得る。
【図面の簡単な説明】
【０１５４】
【図１】本発明の一実施形態による移動体通信システムを示す図
【図２】本発明の一実施形態によるＵＭＴＳ通信システムを示す図
【図３】本発明の一実施形態によるシステムリソースの構成のためのシーケンス図
【図４】ＩＭＳ−ＭＢＭＳサービス設定のフローチャートを示す図
【図５】ハンドオーバ手順を示す、本発明の別の実施形態によるＵＭＴＳネットワークを示す図
【図６】典型的なＭＢＭＳ通信システムを示す図
【図７】ＩＭＳ−ＭＢＭＳサービスのための論理的なシーケンス図
【図１】
2009529816.tif 000004
【図２】
2009529816.tif 000005
【図３】
2009529816.tif 000006
【図４】
2009529816.tif 000007
【図５】
2009529816.tif 000008
【図６】
2009529816.tif 000009
【図７】
2009529816.tif 000010
【国際調査報告】
2009529816.tif 000011
2009529816.tif 000012
2009529816.tif 000013
2009529816.tif 000014
2009529816.tif 000015
2009529816.tif 000016
2009529816.tif 000017